(57)【要約】  録画された番組のコンテンツ部分と非コンテンツ部分とを自動判別した際に、誤判別の存在の確認および修正を容易にする。  本願発明においては、ドライブ制御部は、コンテンツおよび前記非コンテンツの位置を示す、管理情報内の複数のタグに基づいて非コンテンツのデータを選択的に読み出す。非コンテンツが再生されている間に指示部がユーザからの指示を受け取ったときは、ドライブ制御部は、再生中の非コンテンツの位置を示すタグの変更、および、コンテンツの位置を示すタグの付加の一方を行う。非コンテンツの再生後、ドライブ制御部は非コンテンツの再生後に存在する複数のタグに基づいてコンテンツのデータを選択的に読み出すと、出力制御部はコンテンツの再生処理を実行する。
2009037856.tif 000002
【特許請求の範囲】
【請求項１】
コンテンツの区間と非コンテンツの区間とが混在する番組のデータ、および、前記データを読み出すために利用される管理情報を蓄積する記録媒体を駆動するドライブ装置と、
前記番組の映像信号および音声信号の少なくとも一方に基づいて、前記番組の複数の区間の各々を、コンテンツおよび非コンテンツとして検出する判別部と、
前記管理情報に対し、検出された前記コンテンツおよび前記非コンテンツの位置を示す複数のタグを付加し、前記ドライブ装置を用いて、前記記録媒体に対する前記データおよび前記管理情報の読み出しおよび書き込みを行うドライブ制御部と、
読み出された前記データに基づいて前記番組の再生処理を実行する出力制御部と、
ユーザからの指示を受け取る指示部と
を備えた記録装置であって、
前記ドライブ制御部は、前記複数のタグに基づいて前記非コンテンツのデータを選択的に読み出し、
前記非コンテンツが再生されている間に前記指示部が前記ユーザからの指示を受け取ったときは、前記ドライブ制御部は、再生中の前記非コンテンツの位置を示すタグの変更、および、前記コンテンツの位置を示すタグの付加の一方を行い、
前記非コンテンツの再生後、前記ドライブ制御部は前記非コンテンツの再生後に存在する複数のタグに基づいて前記コンテンツのデータを選択的に読み出し、前記出力制御部は前記コンテンツの再生処理を実行する、記録装置。
【請求項２】
前記出力制御部は、通常の再生速度よりも速い再生速度で、前記非コンテンツの再生処理および前記コンテンツの再生処理を実行する、請求の範囲１に記載の記録装置。
【請求項３】
前記出力制御部は、前記非コンテンツの再生処理を実行する前に、前記複数のタグによって示される、前記非コンテンツの位置を確認する処理の実行を通知する、請求の範囲２に記載の記録装置。
【請求項４】
前記出力制御部は、前記コンテンツの再生処理を実行する前に、前記複数のタグによって示される、前記コンテンツの位置を確認する処理の実行を通知する、請求の範囲３に記載の記録装置。
【請求項５】
前記コンテンツの再生処理が実行された後、前記ドライブ制御部は、前記コンテンツの再生後に存在する複数のタグに基づいて、前記番組のデータを他の記録媒体へ書き込む、請求の範囲４に記載の記録装置。
【請求項６】
コンテンツのデータ、および、前記コンテンツのデータを読み出すために利用される管理情報を記録媒体に記録する制御部と、
前記コンテンツの映像信号および音声信号の少なくとも一方に応じて前記コンテンツの部分区間の重要度を決定し、かつ、前記管理情報に対し前記部分区間の重要度に応じた種類のタグを付加する重要度処理部と、
タグの種類に応じた再生速度を規定するテーブルを保持した再生速度設定部とを備えた記録装置であって、
前記部分区間の管理情報に対し、最高ではない重要度を示すタグが付加されているときは、前記重要度処理部は、前記タグを、より高い重要度を示す種類のタグに変更する、記録装置。
【請求項７】
前記部分区間の管理情報に対し、最高ではない重要度を示すタグが付加され、かつ、前記部分区間が所定時間以上継続しているときにおいて、前記重要度処理部は、前記部分区間の一部を分割し、分割によって得られた部分区間の管理情報に対してより高い重要度を示す種類のタグを設定する、請求の範囲６に記載の記録装置。
【請求項８】
前記タグによって示される重要度は、重要度の高さに応じて、最も高い重要度を含む第１群と、最も低い重要度を含む第２群とに分類され、
前記重要度処理部は、前記コンテンツの再生時間長に対する、前記第１群に属する重要度のタグが付加された区間長の割合に基づいて、前記第２群に属する重要度のタグの重要度を、前記第１群に属する重要度に変更する、請求の範囲６に記載の記録装置。
【発明の詳細な説明】
【技術分野】
【０００１】
本発明は、放送番組等のコンテンツを録画し、再生することが可能な機器およびその動作に関する。より具体的には、本発明は、コンテンツである本編とコマーシャルなどの非コンテンツとが混在する録画番組をそれぞれ任意に再生し、本編の情報のみを他の記録媒体に記録することが可能な機器およびその動作に関する。
【背景技術】
【０００２】
現在、テレビ放送された番組をＤＶＤ、ハードディスク等の記録媒体に記録するレコーダが広く普及している。このようなレコーダの中には、ハードディスクドライブ（ＨＤＤ）を内蔵したＤＶＤレコーダも多く存在する。ＨＤＤ内蔵ＤＶＤレコーダを利用すると、たとえば番組の録画はハードディスクを利用して行い、録画された番組のうちで保存しておきたい番組のみをＤＶＤに保存する、という便利な使い方が可能である。【０００３】
テレビ放送番組には、視聴者が本来的に視聴の対象とする番組自体（コンテンツ）と、コンテンツの先頭および末尾、および／または、コンテンツの間に挿入されるコマーシャルが混在していることが多い。コマーシャルの部分を除いてコンテンツをＤＶＤなどの記録媒体に保存するためには、ユーザは、不要部分も含めてハードディスクドライブなどに番組を記録し、ユーザがテレビの画面を見ながらコンテンツの開始位置および終了位置（換言すればコマーシャルの終了位置および開始位置）にチャプターを設定し、番組のコンテンツに対応する必要なチャプターのみをＤＶＤに保存する、という作業が必要であった。【０００４】
近年のレコーダの中には、コンテンツとコマーシャルとを判別し、自動的にチャプターを設定する機能を備えたものが存在する。たとえば特許文献１のハードディスクレコーダは、音声信号がモノラルかステレオかを検出することにより、コンテンツ映像であるかコマーシャル映像であるかを判別している。【０００５】
図１０（ａ）は、受信された放送番組の時系列の構成例を示す。コンテンツＰ１〜Ｐ５に対して、その先頭、合間、および末尾にコマーシャルＣ１〜Ｃ６が付加されている。図１０（ｂ）は、従来のハードディスクレコーダによる、コンテンツとコマーシャルとの判別結果を示す。音声信号がモノラルとステレオとの間で明らかに切り替わっている位置においては、コンテンツとコマーシャルとが正しく判別される。ここでは、コマーシャルＤ１、Ｄ２、Ｄ４およびＤ５が正しく判別されている。
【特許文献１】特開２００３−３１９３１４号公報
【発明の開示】
【発明が解決しようとする課題】
【０００６】
しかしながら、現時点では、コンテンツ映像とコマーシャル映像とを判別する正確さは９０％程度であり、正確に判別することはいまだ実現されていない。よって、確率にして１０％程度は誤判別が生じる可能性が存在する。すなわち、誤判別に起因してコンテンツの一部がコマーシャルとして取り扱われる可能性がある。【０００７】
たとえば図１０（ｂ）においてコマーシャルＤ３として検出された区間は、図１０（ａ）によれば、コマーシャルＣ３、コンテンツＰ３およびコマーシャルＣ４を含んでいる。この検出結果に基づいて、ユーザがコマーシャルを除いたコンテンツのみの再生を実行すると、図１０（ｃ）に示すように、コンテンツＰ３は再生されることはない。これでは、ユーザに非常な違和感を与えてしまう。【０００８】
さらに、ハードディスクに記録された番組をＤＶＤなどの他の記録媒体に保存しておくことをユーザが希望する場合には、上述の誤判別の問題はさらに顕著になる。番組を他の記録媒体に保存する際には、ユーザは通常、不要なコマーシャルをカットしてコンテンツのみを保存したいと考えるはずである。しかしながら、誤判別によってコンテンツの一部が記録媒体に保存されないとすると、番組を他の記録媒体に保存する意味自体が失われる。【０００９】
そして、ユーザがハードディスクから当該コンテンツを削除した後にその事実に気付いたときは、もはや保存作業をやり直すことはできない。その結果、ユーザは、そのレコーダに実装されたコンテンツとコマーシャルとの自動判別機能に対して不満を持ち、さらにはそのレコーダのメーカーへの不信を募らせることとなる。【００１０】
本発明の目的は、録画された番組のコンテンツ部分と非コンテンツ部分とを自動判別した際に、非コンテンツ部分であると誤判別されたときにはコンテンツ部分に変更可能にすることにある。
【課題を解決するための手段】
【００１１】
本願発明の記録装置は、コンテンツの区間と非コンテンツの区間とが混在する番組のデータ、および、前記データを読み出すために利用される管理情報を蓄積する記録媒体を駆動するドライブ装置と、前記番組の映像信号および音声信号の少なくとも一方に基づいて、前記番組の複数の区間の各々を、コンテンツおよび非コンテンツとして検出する判別部と、前記管理情報に対し、検出された前記コンテンツおよび前記非コンテンツの位置を示す複数のタグを付加し、前記ドライブ装置を用いて、前記記録媒体に対する前記データおよび前記管理情報の読み出しおよび書き込みを行うドライブ制御部と、読み出された前記データに基づいて前記番組の再生処理を実行する出力制御部と、ユーザからの指示を受け取る指示部とを備えており、前記ドライブ制御部は、前記複数のタグに基づいて前記非コンテンツのデータを選択的に読み出し、前記非コンテンツが再生されている間に前記指示部が前記ユーザからの指示を受け取ったときは、前記ドライブ制御部は、再生中の前記非コンテンツの位置を示すタグの変更、および、前記コンテンツの位置を示すタグの付加の一方を行い、前記非コンテンツの再生後、前記ドライブ制御部は前記非コンテンツの再生後に存在する複数のタグに基づいて前記コンテンツのデータを選択的に読み出し、前記出力制御部は前記コンテンツの再生処理を実行する。【００１２】
前記出力制御部は、通常の再生速度よりも速い再生速度で、前記非コンテンツの再生処理および前記コンテンツの再生処理を実行してもよい。【００１３】
前記出力制御部は、前記非コンテンツの再生処理を実行する前に、前記複数のタグによって示される、前記非コンテンツの位置を確認する処理の実行を通知してもよい。【００１４】
前記出力制御部は、前記コンテンツの再生処理を実行する前に、前記複数のタグによって示される、前記コンテンツの位置を確認する処理の実行を通知してもよい。【００１５】
前記コンテンツの再生処理が実行された後、前記ドライブ制御部は、前記コンテンツの再生後に存在する複数のタグに基づいて、前記番組のデータを他の記録媒体へ書き込んでもよい。【００１６】
本発明による記録装置は、コンテンツのデータ、および、前記コンテンツのデータを読み出すために利用される管理情報を記録媒体に記録する制御部と、前記コンテンツの映像信号および音声信号の少なくとも一方に応じて前記コンテンツの部分区間の重要度を決定し、かつ、前記管理情報に対し前記部分区間の重要度に応じた種類のタグを付加する重要度処理部と、タグの種類に応じた再生速度を規定するテーブルを保持した再生速度設定部とを備えた記録装置であって、前記部分区間の管理情報に対し、最高ではない重要度を示すタグが付加されているときは、前記重要度処理部は、前記タグを、より高い重要度を示す種類のタグに変更する。【００１７】
前記部分区間の管理情報に対し、最高ではない重要度を示すタグが付加され、かつ、前記部分区間が所定時間以上継続しているときにおいて、前記重要度処理部は、前記部分区間の一部を分割し、分割によって得られた部分区間の管理情報に対してより高い重要度を示す種類のタグを設定してもよい。【００１８】
前記タグによって示される重要度は、重要度の高さに応じて、最も高い重要度を含む第１群と、最も低い重要度を含む第２群とに分類され、前記重要度処理部は、前記コンテンツの再生時間長に対する、前記第１群に属する重要度のタグが付加された区間長の割合に基づいて、前記第２群に属する重要度のタグの重要度を、前記第１群に属する重要度に変更してもよい。
【発明の効果】
【００１９】
本発明の記録装置によれば、番組中のコンテンツ区間および非コンテンツ区間を判別して複数のタグを付加し、その後、複数のタグに基づいて非コンテンツを再生する。非コンテンツの再生により、ユーザが誤判別の存在を認識して指示すると、非コンテンツがコンテンツとなるようタグを変更する。非コンテンツ再生後は、非コンテンツの再生後に存在する複数のタグに基づいて、コンテンツを再生する。これにより、ユーザは、コンテンツ区間および非コンテンツ区間の誤判別が存在していたとしても容易に修正できるとともに、修正後のコンテンツ区間および非コンテンツ区間の分類に問題がないか否かを確実に判断できる。
【図面の簡単な説明】
【００２０】
【図１】実施形態１によるＨＤＤ内蔵光ディスクレコーダ２０のハードウェア構成を示す。
【図２】実施形態１による処理を実現するためのレコーダ２０の主要な構成の機能ブロックを示す図である。
【図３】レコーダ２０の処理の手順を示すフローチャートである。
【図４】チャプター編集機能実行時の、コマーシャルとコンテンツとの再生順序を示す図である。
【図５】（ａ）および（ｂ）は、本実施形態によるレコーダ２０がコンテンツを再生する処理の方法を示す図である。
【図６】実施形態３による処理を実現するためのレコーダ２０の主要な構成の機能ブロックを示す図である。
【図７】（ａ）は録画されたサッカー番組の試合の流れを示す図であり、（ｂ）は重要度の設定結果を示す図である。
【図８】（ａ）は区間６０における当初の重要度の設定結果を示す図であり、（ｂ）は受信された放送番組の時系列の構成例を示す図である。
【図９】（ａ）は録画されたサッカー番組の試合の流れを示す図であり、（ｂ）は重要度の設定結果を示す図であり、（ｃ）は重要度の再設定結果を示す図である。
【図１０】（ａ）は受信された放送番組の時系列の構成例を示す図であり、（ｂ）は従来のハードディスクレコーダによる、コンテンツとコマーシャルとの判別結果を示す図であり、（ｃ）はコマーシャル検出区間が削除された番組を示す図である。
【符号の説明】
【００２１】
２０４  ドライブ制御部
２０５ａ  光ディスク
２０５ｂ  ハードディスク
２０６  ＭＰＥＧ−２デコーダ
２０７  出力制御部
２４０  判別部
２４１  パラメータ抽出部
２４２  ＣＭ検出部
２５０  再生速度設定部
３００  システム制御部
【発明を実施するための最良の形態】
【００２２】
以下、添付の図面を参照して、本発明による記録機器の実施形態を説明する。【００２３】
（実施形態１）
図１は、本実施形態によるハードディスクドライブ（ＨＤＤ）内蔵の光ディスクレコーダ２０（以下「レコーダ２０」と記述する。）のハードウェア構成を示す。【００２４】
レコーダ２０は、その主要な機能として、コンテンツ（放送番組）をハードディスクまたは光ディスクに録画する機能（録画機能）、録画された番組を再生する機能（再生機能）、および、ハードディスクに録画された番組の一部または全部を光ディスクに記録する機能（ダビング機能）を有している。【００２５】
なお、本明細書においては、「番組」とは、視聴者が本来的に視聴の対象とするコンテンツと、コンテンツの先頭および末尾、および／または、コンテンツの間に挿入される非コンテンツとを含むとする。非コンテンツの典型例はコマーシャルである。以下では、非コンテンツの例としてコマーシャルを挙げて説明する。【００２６】
以下、図１を参照しながら、主として録画機能および再生機能に関連付けてレコーダ２０のハードウェア構成を説明する。【００２７】
レコーダ２０は、チューナ２０１と、ＡＤコンバータ２０２と、ＭＰＥＧ−２エンコーダ２０３と、ドライブ制御部２０４と、ＭＰＥＧ−２デコーダ２０６と、出力制御部２０７と、メモリ２０８と、ＤＡコンバータ２０９と、ＣＰＵバス２１３と、ネットワーク制御部２１４と、指示受信部２１５と、システム制御部３００とを含む。【００２８】
録画時において、レコーダ２０は、放送局から送信されるコンテンツ（放送番組）の信号を受信して、その信号に基づいて生成したデータストリームを光ディスク２０５ａまたはハードディスク２０５ｂに書き込む。受信する番組の信号はアナログ放送番組の信号であってもよいし、デジタル放送番組の信号であってもよい。図１には、アナログ放送番組をデジタル化して圧縮符号化し、光ディスク２０５ａまたはハードディスク２０５ｂに書き込むための構成を示している。光ディスク２０５ａまたはハードディスク２０５ｂは、書き込まれた番組のデータを蓄積する。またレコーダ２０は、データストリームとともにその管理情報を生成して書き込む。【００２９】
再生時において、レコーダ２０は、管理情報を参照しながら、録画された放送番組のデータを光ディスク２０５ａまたはハードディスク２０５ｂから読み出して復号化し、ＴＶ４０に出力する。【００３０】
放送番組を光ディスク２０５ａに録画するか、ハードディスク２０５ｂに録画するかはユーザの指定に応じて決定される。また、光ディスク２０５ａに録画された放送番組を再生するか、ハードディスク２０５ｂに録画された放送番組を再生するかも、ユーザの指定に応じて決定される。さらに、ハードディスク２０５ｂに録画された放送番組を、光ディスク２０５ａにダビングするか否かもユーザの指定に応じて決定される。【００３１】
光ディスク２０５ａは、たとえばＣＤ，ＤＶＤまたはＢＤである。以下では光ディスク２０５ａはＤＶＤであるとして説明する。なお、図１には、光ディスク２０５ａがレコーダ２０内に記載されているが、光ディスク２０５ａはレコーダ２０から取り外し可能であり、レコーダ２０自体の構成要素ではないことに留意されたい。【００３２】
システム制御部３００は、レコーダ２０の動作の全体の処理を制御する。システム制御部３００は、ＲＯＭ２１０と、ＣＰＵ２１１と、ＲＡＭ２１２とを有している。それぞれはＣＰＵバス２１３に接続されている。【００３３】
ＲＯＭ２１０は、たとえば電気的に書き換え可能なＥＥＰＲＯＭである。ＲＯＭ２１０にはレコーダ２０を動作させるためのコンピュータプログラムが格納されている。【００３４】
ＣＰＵ２１１はユーザの操作に基づいて、録画指示および再生指示を出力する。より詳しくは、ＣＰＵ２１１は、コンピュータプログラムを実行することにより、ユーザの操作等に応じてコンピュータプログラムに規定される処理を実現するための指示（制御信号）を生成し、ＣＰＵバス２１３を介して各構成要素に出力する。他の構成要素はその指示に基づいて録画処理や再生処理に関連する個々の機能を実行する。【００３５】
ＲＡＭ２１２は、ＣＰＵ２１１がプログラムを実行するために必要なワーク領域を有する。例えば、ＣＰＵ２１１は、ＣＰＵバス２１３を使用してＲＯＭ２１０のコンピュータプログラムをＲＡＭ２１２に読み出し、ＲＡＭ２１２のワーク領域に展開する。【００３６】
チューナ２０１は、放送局から送信されたアナログ放送電波を選局して受信し、番組の映像および音声信号をＡＤコンバータ２０２に出力する。ＡＤコンバータ２０２は入力された信号をデジタル変換してＭＰＥＧ−２エンコーダ２０３に供給する。ＭＰＥＧ−２エンコーダ２０３（以下「エンコーダ２０３」と記述する）は、録画の開始指示を受け取ると、供給されたデジタルデータをＭＰＥＧ−２形式に圧縮符号化して、ＤＶＤビデオレコーディング規格に準拠したＭＰＥＧ−２プログラムストリーム（以下「プログラムストリーム」と称する）を生成し、ドライブ制御部２０４に入力する。この処理は、エンコーダ２０３が録画の終了指示を受け取るまで継続される。エンコーダ２０３は圧縮符号化を行うために、フレームデータ等を一時的に保持するバッファ（図示せず）等を有する。【００３７】
ドライブ制御部２０４は、光ヘッド（図示せず）を利用して光ディスク２０５ａへのデータの書き込み処理、および光ディスク２０５ａからのデータの読み出し処理を制御する。またドライブ制御部２０４は、磁気ヘッド（図示せず）を利用してハードディスク２０５ｂへのデータの書き込み処理、およびハードディスク２０５ｂからのデータの読み出し処理を制御する。【００３８】
ドライブ制御部２０４は録画の開始指示を受けて録画開始処理を行い、その後プログラムストリームを受け取って光ディスク２０５ａまたはハードディスク２０５ｂへの書き込みを開始する。またドライブ制御部２０４は、録画の終了指示を受けた後、プログラムストリームの入力がなくなると書き込み処理を終了し、録画終了処理を行う。プログラムストリームの管理情報は、プログラムストリームの書き込み終了後、または、プログラムストリームの書き込みと並行して、プログラムストリームと同じ記録媒体に書き込まれる。なお、ドライブ制御部２０４は光ディスク２０５ａおよびハードディスク２０５ｂの両方に対する情報の授受を制御するとして説明しているが、光ディスク２０５ａのドライブ装置およびハードディスク２０５ｂのドライブ装置の各々に設けられてもよい。【００３９】
一方、録画した番組の再生時には、ドライブ制御部２０４は光ディスク２０５ａまたはハードディスク２０５ｂから録画された番組の管理情報を読み出す。その管理情報に基づいてＣＰＵ２１１が再生位置を特定すると、ドライブ制御部２０４はその位置に対応するデータを読み出す。ドライブ制御部２０４は、読み出したデータをＭＰＥＧ−２デコーダ２０６に出力する。ＭＰＥＧ−２デコーダ２０６（以下「デコーダ２０６」と記述する）は、供給されたＭＰＥＧ−２圧縮符号化データを伸長して非圧縮データに変換し、出力制御部２０７に供給する。【００４０】
出力制御部２０７は、映像信号および音声信号の出力を制御する。たとえば録画された番組の再生時において、出力制御部２０７は、コンテンツ部分とコマーシャル部分との再生速度を変化させることができる。【００４１】
また、出力制御部２０７は内部演算用のメモリ２０８と接続されており、オン・スクリーン・ディスプレイ（On Screen Display；ＯＳＤ）機能を実現できる。例えば、出力制御部２０７は種々のメニュー画像を映像と合成してＤＡコンバータ２０９に出力する。【００４２】
ＤＡコンバータ２０９は、入力されたＯＳＤ合成画像データおよび音声データをアナログ変換して出力する。なお、ＤＡコンバータ２０９を有することは必須ではない。レコーダ２０は、デジタルデータのまま出力することも可能である。【００４３】
ＣＰＵバス２１３はレコーダ２０内の信号を伝送する経路であり、チューナ２０１、ＡＤコンバータ２０２、エンコーダ２０３、ドライブ制御部２０４、デコーダ２０６、出力制御部２０７、ＤＡコンバータ２０９、システム制御部３００が接続されている。【００４４】
ネットワーク制御部２１４は、レコーダ２０を家庭内ＬＡＮ１０（以下、「ＬＡＮ１０」と記述する。）に接続するためのインタフェース機能を有しており、ネットワーク１０を介してデータを授受する。このデータは番組のデータも含まれる。ネットワーク制御部２１４は、たとえば放送局からインターネットを介して番組のデータを取得する。このときは、たとえばチューナ２０１およびＡＤコンバータ２０２は不要である。ネットワーク制御部２１４は、たとえばＥｔｈｅｒｎｅｔ（登録商標）規格の接続端子である。【００４５】
指示受信部２１５はレコーダ２０の選局や録画、再生等の操作を行うためのスイッチである。指示受信部２１５はさらに、ユーザから検索データを受け取るキーボード、検索データを選択するマウス等の入力機器を含んでもよいし、リモコン２１６からの指示を赤外線で受信する受信部であってもよい。【００４６】
システム制御部３００のＣＰＵ２１１（後述）は、ＣＰＵバス２１３を介してネットワーク制御部２１４に接続され、指示受信部２１５はそのＣＰＵ２１１に直接接続されている。指示受信部２１５を操作して生成された信号はＣＰＵ２１１に供給されている。【００４７】
指示受信部２１５はＣＰＵ２１１に接続されており、ユーザからレコーダ２０に対して直接に選局、録画、再生、時計あわせ、予約登録等に関する指示を受け取る。【００４８】
次に、本実施形態によるレコーダ２０の処理を説明する。以下では、レコーダ２０のハードディスク２０５ｂには、図１０（ａ）に示す放送番組の時系列の構成例にしたがって番組が録画されているとする。【００４９】
図２は、本実施形態による処理を実現するためのレコーダ２０の主要な構成の機能ブロックを示す。図１の構成要素と同じ構成要素には同じ参照符号を付している。【００５０】
本実施形態においては、システム制御部３００が種々の機能を実現するとして説明する。これは、ハードウェアであるＣＰＵ２１１が、ＲＯＭ２１０に格納されたコンピュータプログラムを実行することにより、そのプログラムに応じた機能が実現されることを意味している。以下、システム制御部３００によって実現される各機能を、レコーダ２０の構成要素とみなして説明する。【００５１】
本実施形態においては、システム制御部３００は、判別部２４０および再生速度設定部２５０として機能する。判別部２４０は、パラメータ抽出部２４１と、コマーシャル（ＣＭ）検出部２４２とを有する。【００５２】
判別部２４０は、番組録画時、番組録画後かつ再生前、または、番組再生時のいずれかのタイミングで動作する。以下では、番組録画後かつ再生前の、ユーザがレコーダ２０を使用しない時間中に自動的に動作するとして説明する。ドライブ制御部２０４は、ハードディスク２０５ｂから録画が完了した部分の番組のデータを読み出して、デコーダ２０６に送る。そしてデコーダ２０６は、そのデータを復号化して、映像信号および音声信号を出力する。【００５３】
この映像信号および音声信号はパラメータ抽出部２４１および出力制御部２０７に送られている。出力制御部２０７は映像信号および音声信号を出力せず、パラメータ抽出部２４１のみが以下に説明する処理を行う。この結果、レコーダ２０の処理は、ユーザーには認識されない処理（バックグラウンド処理）として実行される。【００５４】
パラメータ抽出部２４１は、デコーダ２０６から出力される映像信号および音声信号のうち少なくとも音声信号を受け取り、その音声信号の出力レベルを測定する。この測定値は、音声信号の属性値（パラメータ）として出力される。【００５５】
ＣＭ検出部２４２は、パラメータ抽出部２４１から出力されたパラメータに基づいて、音声が無音であるか否かを判定し、無音であると判定した時刻Ｔａとその次に無音であると判定した時刻Ｔｂとの区間Ｔａ−Ｔｂの長さが、たとえば１５秒の倍数であるとき、区間Ｔａ−Ｔｂはコマーシャルであると検出する。なお、ＣＭ検出部２４２は、完全な無音（すなわち音声レベルが０）であるときのみ無音であると判定しなくてもよい。所定の閾値を設けてその閾値以下か否かによって無音であるか否かを判断すればよい。【００５６】
上述の例では、区間Ｔａ−Ｔｂの長さが１５秒の倍数であるか否かに基づいて、その区間がコマーシャルであるか否かを判定した。これは日本の放送においては主に有効である。しかしながら、１５秒の倍数に限られないコマーシャルや、数分間におよぶ長いコマーシャルが放送される場合においては、区間Ｔａ−Ｔｂの長さが当該数分以下であるとき、ＣＭ検出部２４２は区間Ｔａ−Ｔｂがコマーシャルであると検出してもよい。【００５７】
ＣＭ検出部２４２は、区間Ｔａ−Ｔｂがコマーシャルであると判定したときは、時刻Ｔａを特定するＣＭ検出信号を出力する。また、ＣＭ検出部２４２は時刻Ｔｂを特定するコンテンツ検出信号を出力する。時刻Ｔｂはコマーシャルの終了点であるとともに、コンテンツの開始点ともいえるためである。ＣＭ検出信号およびコンテンツ検出信号は、ドライブ制御部２０４に送信される。【００５８】
なお、「ＣＭ検出信号」および「コンテンツ検出信号」は便宜的な名称である。番組本編とコマーシャルとが交互に放送される場合には、同一の信号であってもよい。当該信号が奇数番目に出力された信号か、偶数番目に出力された信号かによって、上述の「ＣＭ検出信号」および「コンテンツ検出信号」と同等の信号として当該信号を識別可能である。【００５９】
上述の「ＣＭ検出信号」および「コンテンツ検出信号」、または、上述の信号の識別方法によれば、番組本編と考えられる部分の開始および終了、および、コマーシャルと考えられる部分の開始および終了を識別できる。【００６０】
なお、コマーシャルの位置（開始から終了までの区間）が特定されると番組本編の位置（開始から終了までの部分区間）が特定される。逆も同様である。よって、番組本編の位置およびコマーシャルの位置を別個独立に特定することと、番組本編の位置およびコマーシャルの位置の一方を特定することとは実質的に同じである。【００６１】
ドライブ制御部２０４は、ＣＭ検出信号の受信に応答して、ＣＭ検出信号によって特定される時刻がコマーシャルの開始点であることを示すＣＭタグを、管理情報に挿入する。またドライブ制御部２０４は、コンテンツ検出信号の受信に応答して、ＣＭ検出信号によって特定される時刻がコンテンツの開始点であることを示すコンテンツタグを管理情報に挿入する。ＣＭタグおよびコンテンツタグは、たとえばＤＶＤまたはＢＤなどにおいて利用可能なブックマークまたはエントリポイントによって実現される。なお、タグを挿入することは、「チャプターを設定する」とも呼ばれている。【００６２】
ドライブ制御部２０４の処理の結果、番組は、図１０（ｂ）に示すようにコマーシャルの検出が行われたとする。タグを参照すれば、コンテンツの位置およびコマーシャルの位置を特定することができる。たとえばＣＭタグ以降の区間は、次のコンテンツタグが現れるまではコマーシャルであり、コンテンツタグ以降の区間は、ＣＭタグが現れるまではコンテンツである。【００６３】
管理情報内のタグは、たとえば番組の再生時に利用される。たとえば番組の再生時において、ＣＰＵ２１１は付加したタグを検出し、検出したタグの種類（ＣＭタグかコンテンツタグか）を出力制御部２０７に出力する。【００６４】
再生速度設定部２５０は、再生時における出力制御部２０７から出力される映像信号や音声信号の出力タイミング、すなわち、番組の再生速度を出力制御部２０７に対して設定する。再生速度の設定は、再生前に、または、再生中にユーザがリモコン２１６を利用して行われる。再生速度設定部２５０は、ユーザからの指示に基づいて再生速度を設定する。【００６５】
出力制御部２０７は、デコーダ２０６から出力された映像信号および／または音声信号を受け取り、出力タイミングを調整しながらそれらを出力する。出力タイミングは、ドライブ制御部２０４で検出されたタグの種類、および、再生速度設定部２５０によって設定された再生速度に基づいて決定される。【００６６】
なお、上述の判別部２４０による処理は、コンテンツとコマーシャルとを確実に検出することを目的とするのではない。検出結果には誤りが含まれる可能性があることに留意されたい。本実施形態のレコーダ２０は、そのような誤検出が存在することを前提とした処理を行う点に、特徴のひとつを有している。たとえば、レコーダ２０は、ユーザがコマーシャルを誤検出しているか否かを調べることができるよう、ＣＭタグに基づいて番組内のコマーシャルのみを再生することができる。このときの再生速度は、たとえば通常の再生速度の４倍である。【００６７】
次に、図３を参照しながら、本実施形態によるレコーダ２０の処理を説明する。なお、ハードディスク２０５ｂには、図１０（ｂ）に示すように、ＣＭタグおよびコンテンツタグによってコマーシャルとコンテンツとが検出された番組が録画されているとする。【００６８】
図３は、レコーダ２０の処理の手順を示すフローチャートである。【００６９】
ステップＳ３１において、レコーダ２０のＣＰＵ２１１は、出力制御部２０７に動作モードの問い合わせ画面を表示させることにより、ユーザに動作モードの指定を求める。「動作モード」とは、レコーダ２０によって行われる処理態様を意味しており、種々存在する。本実施形態では、ハードディスク２０５ｂに録画された番組を視聴するモード、および、録画された番組を光ディスク２０５ａにダビングするための記録モードのいずれかがユーザによって指定される。【００７０】
動作モードの指定を求める理由は、ユーザに対して、動作モードに応じて提示するメッセージを変更するためである。番組を再生するか、番組を他の記録媒体に保存するかは、付加されたタグに対して求められる正確さが異なっている。後者の動作時の方が、タグが正確に付加されていることがより強く求められることはいうまでもない。一方、上述のようにタグは必ずしも正確に付加されているとは限らない。そこで、番組を他の記録媒体に保存する場合には特に、メッセージ等によってユーザに注意を喚起することが有効である。これにより、ユーザはタグが正確に付加されているか、すなわち、コマーシャルとコンテンツとが正しく検出されているかに注意を払いながら、他の記録媒体に保存する操作を行うことが可能になる。【００７１】
ユーザがリモコン２１６によって視聴モードを指定したときは、処理はステップＳ３２に進む。ユーザが記録モードを指定したときは、処理はステップＳ３３に進む。【００７２】
ステップＳ３２において、出力制御部２０７は、「コマーシャルをスキップして番組を再生します」というメッセージ１を出力する。そしてステップＳ３４において、レコーダ２０は先頭からコンテンツの再生を開始する。なお、コマーシャルを含む番組全体を先頭から再生してもよい。【００７３】
ステップＳ３３において、出力制御部２０７は、「チャプターのチェックモードに移行します」というメッセージ２を出力する。チャプターのチェックは、タグが付加された位置のチェックを意味している。【００７４】
そして、ステップＳ３５において、出力制御部２０７が「チャプターチェックを行いますか？」というメッセージを表示すると、指示受信部２１５は、ユーザからチャプターチェックの要否に関する指示を受け取る。ユーザがチャプターチェックを希望する場合には、処理はステップＳ３６に進み、希望しない場合には、処理はステップＳ３７に進む。【００７５】
ステップＳ３６において、レコーダ２０は、チャプター編集機能を実行する。具体的には、出力制御部２０７は、タグに基づいて全コマーシャルを通常の再生速度よりも速く再生する。【００７６】
図４は、チャプター編集機能実行時の、コマーシャルとコンテンツとの再生順序を示す。【００７７】
ドライブ制御部２０４は、管理情報内のコマーシャルタグおよびコンテンツタグに基づいて、まずコマーシャルＤ１〜Ｄ５のデータを読み出す。そして、出力制御部２０７はコマーシャルＤ１〜Ｄ５の連続再生出力を制御する。本実施形態の例では、コマーシャルＤ３にコンテンツが含まれている。コマーシャルＤ３の再生により、それをユーザが認識すると、ユーザは、新たにＣＭタグおよびコンテンツタグを付加する編集操作を行う。その結果、コンテンツＰ３が、コンテンツＰ２およびＰ４の間に存在するコンテンツ部分であるとして正しく取り扱われる。なお、タグの位置をずらす編集操作も可能である。【００７８】
それらの操作が終了すると、番組は、ユーザが希望するとおりにタグによってコマーシャルとコンテンツとに区分される。この後、処理はステップＳ３９に進む。【００７９】
再び図３を参照する。ステップＳ３７において、出力制御部２０７が「自動チャプターシフトを行いますか？」というメッセージを表示すると、指示受信部２１５は、ユーザから自動チャプターシフトの要否に関する指示を受け取る。「自動チャプターシフト」とは、コンテンツの再生範囲が、たとえば数映像フレームから数秒長くなるように、ドライブ制御部２０４がタグの位置をずらす処理である。これはコマーシャル期間を短くすることと同義である。この目的は、コンテンツの途切れが可能な限り少なくなるよう、タグの位置をコマーシャル側に変更することにある。【００８０】
指示受信部２１５は、ユーザから自動チャプターシフトの要否に関する指示を受け取る。ユーザが自動チャプターシフトを希望する場合には、処理はステップＳ３８に進み、希望しない場合には、処理はステップＳ３９に進む。【００８１】
ステップＳ３８において、ドライブ制御部２０４は、本編再生時間が長くなるように、設定されたチャプター（タグ）の開始位置／終了位置をシフトする。なお、すべてのタグの位置を変更しなくてもよい。上述のように、ＣＭタグおよびコンテンツタグの設定は、音声レベルが所定の閾値以下か否かに応じて行われている。したがって、音声レベルがその閾値より大きかったが閾値との差が微小（たとえば閾値の３％以下）である場合にのみ、タグの位置を変更してもよい。その後処理はステップＳ３９に進む。【００８２】
ステップＳ３９において、レコーダ２０は、チャプターに基づいて、より具体的にはコマーシャルタグおよびコンテンツタグに基づいて、番組のコンテンツのみを光ディスク２０５ａにダビングする。【００８３】
ステップＳ３６の後にステップＳ３９が実行されたときは、ユーザは自らが確認してタグを付加しなおしているため、正しく抽出されたコンテンツが光ディスク２０５ａに保存される。【００８４】
一方、ステップＳ３７の後にステップＳ３９が実行されたときは、判別部２４０によって検出されたコンテンツが光ディスク２０５ａに保存される。コンテンツが正確に検出されていない可能性もあるが、ステップＳ３５およびＳ３７を経ているため、ユーザは自らその責任を負うことになる。【００８５】
ステップＳ３８の後にステップＳ３９が実行されたときは、ユーザはステップＳ３６によるチャプター編集を行うほどの手間をかけることなく、しかしながら、判別部２４０による検出結果よりも安全に、コンテンツを光ディスク２０５ａに保存することができる。【００８６】
なお、図３に示す処理手順では、処理開始時に２つのモード（視聴モードおよび記録モード）のいずれかをユーザに選択させ、記録モードにおいてチャプター修正を行うとした。しかしながら、処理開始時にチャプター修正モードをさらに設け、ユーザが視聴モード、記録モードおよびチャプター修正モードのいずれかを選択可能にしてもよい。【００８７】
本実施形態においては、判別部２４０は、番組録画後かつ再生前の、ユーザがレコーダ２０を使用しない時間中にコンテンツおよびコマーシャルを検出する動作を行うとした。しかしながら、録画後、ユーザが頻繁にレコーダ２０を使用する状況もあり得る。このような場合には、判別部２４０はコンテンツおよびコマーシャルの検出を完了できない。【００８８】
そこで判別部２４０は、番組録画時にコンテンツおよびコマーシャルの検出動作を行ってもよい。このとき、チューナ２０１を経て入力された映像信号および／または音声信号に基づいて、ＣＭ検出部２４２がコンテンツおよび／または非コンテンツの位置を検出すればよい。上述の動作を番組録画時に行う場合には、レコーダ２０の番組録画時の処理負荷が若干高くなる。しかしながら、録画の完了時にはコンテンツおよびコマーシャルの検出が完了しているため、録画後にユーザの使用状況の影響を受けることはない。【００８９】
さらに判別部２４０は、番組再生時に動作してもよい。たとえば、デコーダ２０６が、ＨＤＤ２０５ｂ等に圧縮されて記録された映像および／または音声のデータを復号して、映像信号および／または音声信号を出力する。ＣＭ検出部２４２は、それらの信号を利用して無音区間に基づいて非コンテンツの開始点を検出する。その後ＣＭ検出部２４２は、これまでの実績やコマーシャル放送時間の取り決めに基づいて、６０秒、９０秒等の区間だけ再生をスキップする。この結果、非コンテンツを飛ばして再生することが可能になる。なお、本例においては、タグは非コンテンツの開始位置にのみ設定される。出力制御部２０７からは映像信号および／または音声信号が出力される。【００９０】
（実施形態２）
本実施形態においては、実施形態１によるレコーダ２０によって処理が行われ、コマーシャルとコンテンツとが分けられた番組のコンテンツの再生処理を説明する。実施形態１と同様、図１および２のレコーダ２０を参照しながら説明する。【００９１】
図５（ａ）および（ｂ）は、本実施形態によるレコーダ２０がコンテンツを再生する処理の方法を示す。本実施形態における再生処理は、たとえばコンテンツを大まかに視聴するために利用される。コンテンツはサッカーの試合であるとする。再生は、番組開始から終了までのコマーシャルを除くコンテンツについて行われるとする。【００９２】
図５（ａ）は、コンテンツのみを通常の再生速度よりも速い４倍速で再生する例を示す。再生速度は、４倍であり定速である。試合開始から試合終了までのハイライトシーン（たとえばゴールシーンおよびシュートシーン）も必ず再生される。【００９３】
一方、図５（ｂ）は、本実施形態による変速再生処理の例を示す。変速再生処理とは、そのコンテンツにおいて重要度が高いハイライトシーンは低速（たとえば２倍速）で再生し、重要度が低いハイライトシーン以外のシーンは高速（たとえば４倍速）で再生する処理である。【００９４】
変速再生処理を実現するためには、ハイライトシーンを検出する処理が必要となる。そこで、実施形態１において説明したような、管理情報にコマーシャルタグおよびコンテンツタグを付加する処理とともに、ハイライトタグを付加する処理も行われる。【００９５】
具体的には以下のとおりである。図２に示すＣＭ検出部２４２は、パラメータ抽出部２４１によって抽出された音声信号の出力レベル（パラメータ）が閾値よりも大きいか否かを判断する。大きい場合には、ＣＭ検出部２４２はハイライト開始信号を出力し、その後、音声信号の出力レベル（パラメータ）が閾値以下になったときは、ハイライト終了信号を出力する。【００９６】
ドライブ制御部２０４は、ハイライト開始信号およびハイライト終了信号に基づいて、ハイライトタグを番組の管理情報に付加する。【００９７】
変速再生時においては、ドライブ制御部２０４は、奇数番目のハイライトタグからその次のハイライトタグまでの再生速度を低く設定し、偶数番目のハイライトタグからその次のハイライトタグまでの再生速度を高く設定する。これにより、図５（ｂ）に示すようなハイライトシーンの時間帯（たとえば試合開始時、ゴール時、シュート時、試合終了時）には再生速度が遅くなる。よって、ユーザはコンテンツを、重要度が高いか否かに応じた速度でコンテンツの概要を視聴することができる。【００９８】
（実施形態３）
実施形態２のレコーダ２０は、重要度が高いか低いかの２段階でコンテンツの再生速度を変化させるとした。本実施形態においては、さらに多段階でコンテンツの再生速度を変化させることが可能なレコーダを説明する。【００９９】
以下では、レコーダ２０のハードディスク２０５ｂには、図１０（ａ）に示す放送番組の時系列の構成例にしたがって番組が録画されているとする。【０１００】
図６は、本実施形態による処理を実現するためのレコーダ２０の主要な構成の機能ブロックを示す。ハードウェア構成は図１に示すレコーダ２０と同じであるが、システム制御部３００によって実現される機能が新たに付加されている。以下では、図２に示す機能ブロックとの相違点を説明する。特に説明がない要素の機能については、先に説明したとおりであるとする。【０１０１】
本実施形態においては、システム制御部３００は、判別部２４０、再生速度設定部２５０および重要度処理部２６０として機能する。【０１０２】
まず、判別部２４０のＣＭ検出部２４２は、実施形態２の処理ではなく、実施形態１の処理、すなわち、パラメータ抽出部２４１から出力されたパラメータに基づいて、音声が無音であるか否かを判定する。【０１０３】
重要度処理部２６０は、重要度測定部２６１と、重要度決定部２６２と、重要度指定部２６３とを有する。【０１０４】
重要度処理部２６０は、判別部２４０が動作するタイミングと同じタイミングで動作する。本実施形態においては、実施形態１と同様、番組録画中に動作するとして説明する。【０１０５】
重要度測定部２６１は、パラメータ抽出部２４１によって抽出された音声信号の出力レベル（パラメータ）の平均値が閾値よりも大きいか否かを判断し、かつ、平均値が閾値よりも大きくなったときの持続時間を測定する。【０１０６】
閾値は、複数設定することができる。たとえば、サッカーの試合の番組においては、ゴールシーンやシュートシーンなどに対応する、音声信号の出力レベルの平均値が高い大きな歓声を判別可能な閾値Ａと、試合開始時や終了時などの、歓声は比較的大きいがゴールシーンほど大きくはないシーンの音声を判別可能な、閾値Ａより小さい閾値Ｂと、フィールド中盤でゆっくりとボールがパスされているときのような、歓声が比較的小さいシーンの音声を判別可能な、閾値Ｂより小さい閾値Ｃとを設ければよい。閾値の具体的な値は、たとえば予め統計的に調査し、重要度測定部２６１に設定しておけばよい。【０１０７】
また、平均値が閾値よりも大きくなったときの持続時間の具体的な値は、たとえば１０秒に設定することができる。持続時間が１０秒未満の場合は瞬間的な雑音とみなして低い重要度（後述の例では“ｃ”や“ｄ”）を設定すればよい。なお「平均値」は例である。他の例として、出力レベルの最大値や最小値であってもよい。【０１０８】
重要度測定部２６１は、音声信号の出力レベル（パラメータ）が閾値Ａ以上かつ設定された持続時間以上のときは重要度“ａ”を出力し、閾値Ａより小さいが閾値Ｂ以上であり、かつ設定された持続時間以上であるときは重要度“ｂ”を出力し、閾値Ｂより小さいが閾値Ｃ以上であり、かつ設定された持続時間以上であるときは重要度“ｃ”を出力し、閾値Ｃより小さいときは重要度“ｄ”を出力する。本実施形態においては、重要度が高い順に“ａ”、“ｂ”、“ｃ”、“ｄ”と並べているが、これは例であり、重要度をどのように示すかは任意である。【０１０９】
また、重要度測定部２６１は、音声信号の出力レベルの時間的な連続性を評価することもできる。たとえば音楽が一定期間に連続して流れている場合には、音声信号の出力レベルは概ね一定値で推移すると考えられる。そのような場合には、重要度測定部２６１は、音楽が開始されたときの閾値に基づく重要度を引き続き出力してもよい。【０１１０】
さらに重要度決定部２６２は、たとえば後述する番組の再生中に、リモコン２１６を介してユーザの指示を受け取る。ユーザが視聴しながら重要度を変更したいと考えたとき、ユーザがリモコン２１６のボタンを押下すると、重要度の変更に関する指示が重要度決定部２６２に送られる。【０１１１】
重要度決定部２６２は、ＣＭ検出部２４２によって行われた音声が無音であるか否かの検出結果、重要度測定部２６１から出力された重要度の情報、および、存在する場合にはリモコン２１６からの指示に基づいて、そのシーンの重要度を決定する。重要度決定部２６２は、決定した重要度を示す“ａ”、“ｂ”、“ｃ”、“ｄ”のいずれかを出力する。【０１１２】
重要度指定部２６３は、重要度に応じた種類のタグを管理情報に付加するよう、ドライブ制御部２０４に指示する。また重要度指定部２６３は、特定条件下では、重要度決定部２６２によって決定された重要度をより高い重要度に強制的に変更する。「特定条件下」とは、たとえば、重要度が最高ではない状態（たとえば最低の状態）が１０分以上継続したときや、コマーシャルの直前および／または直後の一定区間に到達したときである。【０１１３】
重要度を強制的に変更する理由は、重要度が低い状態が継続しないようにするためである。たとえばサッカーの試合において、スコアが０対０の状態が続くと音声信号のレベルが長時間にわたり、大きくならないことがある。その結果、重要度が低い状態が継続する。後述の再生処理によれば、重要度が低い場合には再生速度は非常に速い。概要を確認するためとはいえ、そのような高速な再生ではユーザは実質的に内容を確認することはできない。そこで、強制的に重要度を高く設定して一定時間ごとにユーザに番組を視聴させることで、ユーザが、その番組全体を一通り確認したという心理状態になるように配慮している。【０１１４】
たとえば図９（ａ）〜（ｃ）は、一旦設定した重要度を変更して、再設定した結果を示す図である。【０１１５】
図９（ａ）に示すように、複数のシュートシーンは含まれるが得点に結びつかずに盛り上がるシーンが少なかったサッカーの番組を考える。このとき、重要度指定部２６３の指示に基づいて、図９（ｂ）に示すように重要度が設定されたとする。【０１１６】
本実施形態においては、重要度が比較的高い“ａ”または“ｂ”と判定された区間長が全体の再生時間長に対して１５％以下となる場合には、重要度指定部２６３は、重要度決定部２６２によって決定された、重要度が比較的低い“ｃ”または“ｄ”と判定された区間の全部または一部を、より需要度の高い“ｂ”に変更する。【０１１７】
一例として、図９（ｃ）では、重要度が“ｃ”または“ｄ”と判定された区間の一部を、重要度がより高い“ｂ” (ハッチング部分)に変更して結果を示している。重要度指定部２６３は、放送時間にして１０分毎にその区間の重要度を確認し、その区間の重要度が比較的低い“ｃ”または“ｄ”であるときは、強制的にその区間の一部を重要度“ｂ”に変更している。【０１１８】
このように重要度が再設定されることにより、再設定後の重要度に応じてその番組を視聴したユーザは、図９（ｂ）のように時間間隔が１０分以上開いた区間だけを１倍速や２倍速で聴取する場合に比べて、番組の内容を一通り確認したという心理状態になる。【０１１９】
なお、１０分毎に強制的に一定区間の重要度を“ｂ”に変更する際、その区間近傍（たとえば５分以内）の重要度が“ａ”または“ｂ”に設定されている場合には、重要度を“ｂ”に変更するという操作は行わなくてもよい。これにより、重要度の再設定結果が冗長になることを防止できる。【０１２０】
なお、上述の例では強制的に一定区間の重要度をｂに変更しているが、重要度を“ａ”に変更しても良い。この場合には、番組内容確認に対するユーザの満足度をさらに高めることができる。【０１２１】
上述の例では、重要度が “ａ”または“ｂ”と判定された区間長と全体の時間長との割合が１５％以下か否かを判定した。しかしながら、「１５％」については、適宜変更してもよい。また“ａ” と判定された区間長と全体の時間長との割合を求めてもよい。その場合には、“ｂ”、 “ｃ”または“ｄ”と判定された区間長を“ａ”に変更すればよい。一般には、タグによって示される重要度を、重要度の高さに応じて、最も高い重要度を含む第１群と、最も低い重要度を含む第２群とに分類し、第２群に属する重要度に属するタグについて、その重要度を、第１群に属するタグの重要度に変更すればよい。【０１２２】
また、他の例では、ドラマに関しては、ストーリー上重要なシーンがコマーシャルの前後に放送されるように放送時間が調整されていることが、経験的に多い。特に、コマーシャルの前後において同じシーンが重複して含まれている場合には重要であると考えられる。そこで、コマーシャルの直前および／または直後の一定区間は、重要度をより高く設定することが有効である。なお、同じシーンが重複して含まれているか否かは、両方の区間における音声信号の出力レベルの相関や映像信号の相関に基づいて特定することができる。【０１２３】
上述の２つの例から明らかなように、番組のジャンルによって重要度の設定方法を変更することは効果的である。そのため、番組の録画時にはドライブ制御部２０４はチューナ２０１によって取得された電子番組表（ＥＰＧ）を保持しておき、重要度の設定時において、ジャンルに応じて設定処理の方法を変えることが好ましい。【０１２４】
ドライブ制御部２０４は、重要度指定部２６３から指定された重要度に応じた種類のタグを管理情報に付加する。本実施形態においては、タグの種類は、重要度“ａ”、“ｂ”、“ｃ”、“ｄ”に応じて定められている。【０１２５】
再生速度設定部２５０は、タグの種類に応じた再生速度を規定するテーブルを保持している。たとえば、重要度“ａ”のタグに応じた再生速度は１倍速、重要度“ｂ”については２倍速再生、重要度“ｃ”については４倍速再生、重要度“ｄ”については８倍速再生である。再生速度設定部２５０が保持するテーブルは再生処理の開始前に出力制御部２０７に送られている。出力制御部２０７は、タグの種類に基づいてテーブルを参照し、得られた再生速度で、コンテンツを出力する。【０１２６】
図７（ａ）は録画されたサッカー番組の試合の流れを示し、図７（ｂ）は重要度の設定結果を示す。図７（ａ）には、番組中の音声信号の出力レベルが比較的大きくなる複数のシーンの位置と、ハーフタイムのコマーシャルの位置とが示されている。図７（ｂ）の重要度は、上述の例と同様、重要度が高い順に“ａ”、“ｂ”、“ｃ”、“ｄ”と設定されている。それぞれの再生速度は、重要度“ａ”が通常再生（１倍速再生）、重要度“ｂ”が２倍速再生、重要度“ｃ”が４倍速再生、重要度“ｄ”が８倍速再生である。【０１２７】
音声信号の出力レベルが比較的大きくなるシーンの重要度は、“ａ”または“ｂ”に設定されている。そして、ハーフタイムの重要度は最低の“ｄ”に設定されている。これにより、ユーザが番組の先頭から再生したとしても、重要度に応じた再生速度で試合の流れを一通り確認することができる。【０１２８】
なお、図７（ｂ）において、ハーフタイム直前の部分区間の重要度は“ａ”に設定されているが、これは重要度指定部２６３によって重要度が強制的に変更された結果である。この部分区間は、その前に存在する重要度“ｃ”の部分区間の一部であった。しかしながら、コマーシャルの直前の区間であることにより、重要度指定部２６３によって重要度“ｃ”の部分区間の一部が分割されて重要度“ａ”の部分区間として設定されている。この区間の重要度は音声信号の出力レベルの大きさによって定められたものではない。重要度“ｃ”の部分区間の一部を重要度“ｂ”ではなく、重要度“ａ”の部分区間として設定した理由は、コマーシャル直前、すなわち前半戦終了からハーフタイムに入った時間帯は、その番組の重要な情報（その試合の前半戦得点結果やハイライト映像）が提示されることが経験的に多いためである。ただしこれは例であり、重要度“ｃ”より高い重要度“ｂ”を設定してもよい。なお、重要度が低い状態が一定時間以上継続する部分区間に対しても、区間が分割され得る。出力レベル以外のパラメータによっても、重要度を設定できる点に留意されたい。【０１２９】
ただし、レコーダ２０によって設定された重要度が、その番組の重要なシーンを確実に反映しているとは限らない。そこで、設定された重要度の変更処理を説明する。【０１３０】
いま、図７（ｂ）の区間６０に注目する。この区間は、図７（ａ）に示す２度目のゴールシーンに対応している。【０１３１】
図８（ａ）は、区間６０における当初の重要度の設定結果を示す。重要度に基づいて２倍速で再生されていた区間６０を視聴していたとき、ユーザが、区間６０にゴールシーンが含まれていることを認識したとする。ユーザはリモコン２１６のボタンを押下して、重要度の変更要求を指示受信部２１５に送る。さらにユーザはリモコン２１６を利用して、ゴールシーンの重要度を“ａ”に設定するよう指示する。【０１３２】
この指示が重要度決定部２６２に送られると、重要度決定部２６２はその位置の重要度を“ａ”に変更する。図８（ｂ）は重要度の変更結果を示す。これにより、当該番組のデータに設定された重要度“ｂ”に対応するタグが重要度“ａ”に対応するタグに変更される。重要度が変更された番組を当該重要度に応じた速度で再生すると、２回目のゴールシーンは通常の速度で再生される。【０１３３】
上述の実施形態においては、パラメータ抽出部２４１は音声信号の出力レベルを利用してコマーシャルとコンテンツとを判別するとした。しかしながらこれは例である。たとえば、映像信号に基づいて黒い画面へのフェードアウトや黒画面からのフェードインを検出することにより、コマーシャルとコンテンツとを判別することも可能である。また、音声信号による判別と映像信号による判別とを並列的に行うことにより、検出精度を高くすることも可能である。【０１３４】
なお、シーンの重要度“ａ”、“ｂ”、“ｃ”、“ｄ”に対応する再生速度を、それぞれ１倍速、２倍速、４倍速および８倍速であるとして説明した。しかしながら、２倍速、４倍速および８倍速については、重要度に応じた再生速度をユーザが任意に変更できるようにしてもよい。なお、重要度が低い状態が継続したときでも強制的に通常再生を行えるようにするため、シーンの重要度“ａ”に対応する１倍速は特に変更する必要はない。
【産業上の利用可能性】
【０１３５】
本発明によれば、録画された番組に含まれるコンテンツおよび非コンテンツを検出してタグを付加した上で、コンテンツを単に再生するときと、他の記録媒体にコンテンツを保存するときとで、ユーザに提示する情報を変更する。特に、コンテンツ保存時には設定されたタグの位置の確認を行うか否かの確認をユーザに求めるため、誤検出されたタグに起因するコンテンツ保存の失敗を大幅に低減することが可能になる。
【図１】
2009037856.tif 000003
【図２】
2009037856.tif 000004
【図３】
2009037856.tif 000005
【図４】
2009037856.tif 000006
【図５】
2009037856.tif 000007
【図６】
2009037856.tif 000008
【図７】
2009037856.tif 000009
【図８】
2009037856.tif 000010
【図９】
2009037856.tif 000011
【図１０】
2009037856.tif 000012
【手続補正書】
【提出日】平成21年5月28日(2009.5.28)
【手続補正１】
【補正対象書類名】明細書
【補正対象項目名】全文
【補正方法】変更
【補正の内容】
【発明の詳細な説明】
【技術分野】
【０００１】
本発明は、放送番組等のコンテンツを録画し、再生することが可能な機器およびその動作に関する。より具体的には、本発明は、コンテンツである本編とコマーシャルなどの非コンテンツとが混在する録画番組をそれぞれ任意に再生し、本編の情報のみを他の記録媒体に記録することが可能な機器およびその動作に関する。
【背景技術】
【０００２】
現在、テレビ放送された番組をＤＶＤ、ハードディスク等の記録媒体に記録するレコーダが広く普及している。このようなレコーダの中には、ハードディスクドライブ（ＨＤＤ）を内蔵したＤＶＤレコーダも多く存在する。ＨＤＤ内蔵ＤＶＤレコーダを利用すると、たとえば番組の録画はハードディスクを利用して行い、録画された番組のうちで保存しておきたい番組のみをＤＶＤに保存する、という便利な使い方が可能である。
【０００３】
テレビ放送番組には、視聴者が本来的に視聴の対象とする番組自体（コンテンツ）と、コンテンツの先頭および末尾、および／または、コンテンツの間に挿入されるコマーシャルが混在していることが多い。コマーシャルの部分を除いてコンテンツをＤＶＤなどの記録媒体に保存するためには、ユーザは、不要部分も含めてハードディスクドライブなどに番組を記録し、ユーザがテレビの画面を見ながらコンテンツの開始位置および終了位置（換言すればコマーシャルの終了位置および開始位置）にチャプターを設定し、番組のコンテンツに対応する必要なチャプターのみをＤＶＤに保存する、という作業が必要であった。
【０００４】
近年のレコーダの中には、コンテンツとコマーシャルとを判別し、自動的にチャプターを設定する機能を備えたものが存在する。たとえば特許文献１のハードディスクレコーダは、音声信号がモノラルかステレオかを検出することにより、コンテンツ映像であるかコマーシャル映像であるかを判別している。
【０００５】
図１０（ａ）は、受信された放送番組の時系列の構成例を示す。コンテンツＰ１〜Ｐ５に対して、その先頭、合間、および末尾にコマーシャルＣ１〜Ｃ６が付加されている。図１０（ｂ）は、従来のハードディスクレコーダによる、コンテンツとコマーシャルとの判別結果を示す。音声信号がモノラルとステレオとの間で明らかに切り替わっている位置においては、コンテンツとコマーシャルとが正しく判別される。ここでは、コマーシャルＤ１、Ｄ２、Ｄ４およびＤ５が正しく判別されている。
【先行技術文献】
【特許文献】
【０００６】
【特許文献１】特開２００３−３１９３１４号公報
【発明の概要】
【発明が解決しようとする課題】
【０００７】
しかしながら、現時点では、コンテンツ映像とコマーシャル映像とを判別する正確さは９０％程度であり、正確に判別することはいまだ実現されていない。よって、確率にして１０％程度は誤判別が生じる可能性が存在する。すなわち、誤判別に起因してコンテンツの一部がコマーシャルとして取り扱われる可能性がある。
【０００８】
たとえば図１０（ｂ）においてコマーシャルＤ３として検出された区間は、図１０（ａ）によれば、コマーシャルＣ３、コンテンツＰ３およびコマーシャルＣ４を含んでいる。この検出結果に基づいて、ユーザがコマーシャルを除いたコンテンツのみの再生を実行すると、図１０（ｃ）に示すように、コンテンツＰ３は再生されることはない。これでは、ユーザに非常な違和感を与えてしまう。
【０００９】
さらに、ハードディスクに記録された番組をＤＶＤなどの他の記録媒体に保存しておくことをユーザが希望する場合には、上述の誤判別の問題はさらに顕著になる。番組を他の記録媒体に保存する際には、ユーザは通常、不要なコマーシャルをカットしてコンテンツのみを保存したいと考えるはずである。しかしながら、誤判別によってコンテンツの一部が記録媒体に保存されないとすると、番組を他の記録媒体に保存する意味自体が失われる。
【００１０】
そして、ユーザがハードディスクから当該コンテンツを削除した後にその事実に気付いたときは、もはや保存作業をやり直すことはできない。その結果、ユーザは、そのレコーダに実装されたコンテンツとコマーシャルとの自動判別機能に対して不満を持ち、さらにはそのレコーダのメーカーへの不信を募らせることとなる。
【００１１】
本発明の目的は、録画された番組のコンテンツ部分と非コンテンツ部分とを自動判別した際に、非コンテンツ部分であると誤判別されたときにはコンテンツ部分に変更可能にすることにある。
【課題を解決するための手段】
【００１２】
本発明による記録装置は、コンテンツのデータ、および前記コンテンツのデータを読み出すために利用される管理情報を記録媒体に記録する制御部と、前記コンテンツの映像信号および音声信号の少なくとも一方に応じて前記コンテンツの部分区間の重要度を決定し、かつ、前記管理情報に対し前記部分区間の重要度に応じた種類のタグを付加する重要度処理部と、タグの種類に応じた再生速度を規定するテーブルを保持した再生速度設定部とを備えた記録装置であって、前記部分区間の管理情報に対し、最高ではない重要度を示すタグが付加されているときは、前記重要度処理部は、前記タグを、より高い重要度を示す種類のタグに変更し、前記部分区間の管理情報に対し、最高ではない重要度を示すタグが付加されており、かつ、前記部分区間が所定時間以上継続しているときにおいて、前記重要度処理部は、前記部分区間の一部を分割し、分割によって得られた部分区間の管理情報に対してより高い重要度を示す種類のタグを設定する。
【００１３】
前記出力制御部は、通常の再生速度よりも速い再生速度で、前記非コンテンツの再生処理および／または前記コンテンツの再生処理を実行してもよい。
【００１４】
前記コンテンツの再生処理が実行された後、前記ドライブ制御部は、前記コンテンツの再生後に存在する複数のタグに基づいて、前記番組のデータを他の記録媒体へ書き込んでもよい。
【００１５】
前記タグによって示される重要度は、重要度の高さに応じて、最も高い重要度を含む第１群と、最も低い重要度を含む第２群とに分類され、前記重要度処理部は、前記コンテンツの再生時間長に対する、前記第１群に属する重要度のタグが付加された区間長の割合に基づいて、前記第２群に属する重要度のタグの重要度を、前記第１群に属する重要度に変更してもよい。
【発明の効果】
【００１６】
本発明の記録装置によれば、番組中のコンテンツ区間および非コンテンツ区間を判別して複数のタグを付加し、その後、複数のタグに基づいて非コンテンツを再生する。非コンテンツの再生により、ユーザが誤判別の存在を認識して指示すると、非コンテンツがコンテンツとなるようタグを変更する。非コンテンツ再生後は、非コンテンツの再生後に存在する複数のタグに基づいて、コンテンツを再生する。これにより、ユーザは、コンテンツ区間および非コンテンツ区間の誤判別が存在していたとしても容易に修正できるとともに、修正後のコンテンツ区間および非コンテンツ区間の分類に問題がないか否かを確実に判断できる。
【図面の簡単な説明】
【００１７】
【図１】実施形態１によるＨＤＤ内蔵光ディスクレコーダ２０のハードウェア構成を示す。
【図２】実施形態１による処理を実現するためのレコーダ２０の主要な構成の機能ブロックを示す図である。
【図３】レコーダ２０の処理の手順を示すフローチャートである。
【図４】チャプター編集機能実行時の、コマーシャルとコンテンツとの再生順序を示す図である。
【図５】（ａ）および（ｂ）は、本実施形態によるレコーダ２０がコンテンツを再生する処理の方法を示す図である。
【図６】実施形態３による処理を実現するためのレコーダ２０の主要な構成の機能ブロックを示す図である。
【図７】（ａ）は録画されたサッカー番組の試合の流れを示す図であり、（ｂ）は重要度の設定結果を示す図である。
【図８】（ａ）は区間６０における当初の重要度の設定結果を示す図であり、（ｂ）は受信された放送番組の時系列の構成例を示す図である。
【図９】（ａ）は録画されたサッカー番組の試合の流れを示す図であり、（ｂ）は重要度の設定結果を示す図であり、（ｃ）は重要度の再設定結果を示す図である。
【図１０】（ａ）は受信された放送番組の時系列の構成例を示す図であり、（ｂ）は従来のハードディスクレコーダによる、コンテンツとコマーシャルとの判別結果を示す図であり、（ｃ）はコマーシャル検出区間が削除された番組を示す図である。
【発明を実施するための形態】
【００１８】
以下、添付の図面を参照して、本発明による記録機器の実施形態を説明する。
【００１９】
（実施形態１）
図１は、本実施形態によるハードディスクドライブ（ＨＤＤ）内蔵の光ディスクレコーダ２０（以下「レコーダ２０」と記述する。）のハードウェア構成を示す。
【００２０】
レコーダ２０は、その主要な機能として、コンテンツ（放送番組）をハードディスクまたは光ディスクに録画する機能（録画機能）、録画された番組を再生する機能（再生機能）、および、ハードディスクに録画された番組の一部または全部を光ディスクに記録する機能（ダビング機能）を有している。
【００２１】
なお、本明細書においては、「番組」とは、視聴者が本来的に視聴の対象とするコンテンツと、コンテンツの先頭および末尾、および／または、コンテンツの間に挿入される非コンテンツとを含むとする。非コンテンツの典型例はコマーシャルである。以下では、非コンテンツの例としてコマーシャルを挙げて説明する。
【００２２】
以下、図１を参照しながら、主として録画機能および再生機能に関連付けてレコーダ２０のハードウェア構成を説明する。
【００２３】
レコーダ２０は、チューナ２０１と、ＡＤコンバータ２０２と、ＭＰＥＧ−２エンコーダ２０３と、ドライブ制御部２０４と、ＭＰＥＧ−２デコーダ２０６と、出力制御部２０７と、メモリ２０８と、ＤＡコンバータ２０９と、ＣＰＵバス２１３と、ネットワーク制御部２１４と、指示受信部２１５と、システム制御部３００とを含む。
【００２４】
録画時において、レコーダ２０は、放送局から送信されるコンテンツ（放送番組）の信号を受信して、その信号に基づいて生成したデータストリームを光ディスク２０５ａまたはハードディスク２０５ｂに書き込む。受信する番組の信号はアナログ放送番組の信号であってもよいし、デジタル放送番組の信号であってもよい。図１には、アナログ放送番組をデジタル化して圧縮符号化し、光ディスク２０５ａまたはハードディスク２０５ｂに書き込むための構成を示している。光ディスク２０５ａまたはハードディスク２０５ｂは、書き込まれた番組のデータを蓄積する。またレコーダ２０は、データストリームとともにその管理情報を生成して書き込む。
【００２５】
再生時において、レコーダ２０は、管理情報を参照しながら、録画された放送番組のデータを光ディスク２０５ａまたはハードディスク２０５ｂから読み出して復号化し、ＴＶ４０に出力する。
【００２６】
放送番組を光ディスク２０５ａに録画するか、ハードディスク２０５ｂに録画するかはユーザの指定に応じて決定される。また、光ディスク２０５ａに録画された放送番組を再生するか、ハードディスク２０５ｂに録画された放送番組を再生するかも、ユーザの指定に応じて決定される。さらに、ハードディスク２０５ｂに録画された放送番組を、光ディスク２０５ａにダビングするか否かもユーザの指定に応じて決定される。
【００２７】
光ディスク２０５ａは、たとえばＣＤ，ＤＶＤまたはＢＤである。以下では光ディスク２０５ａはＤＶＤであるとして説明する。なお、図１には、光ディスク２０５ａがレコーダ２０内に記載されているが、光ディスク２０５ａはレコーダ２０から取り外し可能であり、レコーダ２０自体の構成要素ではないことに留意されたい。
【００２８】
システム制御部３００は、レコーダ２０の動作の全体の処理を制御する。システム制御部３００は、ＲＯＭ２１０と、ＣＰＵ２１１と、ＲＡＭ２１２とを有している。それぞれはＣＰＵバス２１３に接続されている。
【００２９】
ＲＯＭ２１０は、たとえば電気的に書き換え可能なＥＥＰＲＯＭである。ＲＯＭ２１０にはレコーダ２０を動作させるためのコンピュータプログラムが格納されている。
【００３０】
ＣＰＵ２１１はユーザの操作に基づいて、録画指示および再生指示を出力する。より詳しくは、ＣＰＵ２１１は、コンピュータプログラムを実行することにより、ユーザの操作等に応じてコンピュータプログラムに規定される処理を実現するための指示（制御信号）を生成し、ＣＰＵバス２１３を介して各構成要素に出力する。他の構成要素はその指示に基づいて録画処理や再生処理に関連する個々の機能を実行する。
【００３１】
ＲＡＭ２１２は、ＣＰＵ２１１がプログラムを実行するために必要なワーク領域を有する。例えば、ＣＰＵ２１１は、ＣＰＵバス２１３を使用してＲＯＭ２１０のコンピュータプログラムをＲＡＭ２１２に読み出し、ＲＡＭ２１２のワーク領域に展開する。
【００３２】
チューナ２０１は、放送局から送信されたアナログ放送電波を選局して受信し、番組の映像および音声信号をＡＤコンバータ２０２に出力する。ＡＤコンバータ２０２は入力された信号をデジタル変換してＭＰＥＧ−２エンコーダ２０３に供給する。ＭＰＥＧ−２エンコーダ２０３（以下「エンコーダ２０３」と記述する）は、録画の開始指示を受け取ると、供給されたデジタルデータをＭＰＥＧ−２形式に圧縮符号化して、ＤＶＤビデオレコーディング規格に準拠したＭＰＥＧ−２プログラムストリーム（以下「プログラムストリーム」と称する）を生成し、ドライブ制御部２０４に入力する。この処理は、エンコーダ２０３が録画の終了指示を受け取るまで継続される。エンコーダ２０３は圧縮符号化を行うために、フレームデータ等を一時的に保持するバッファ（図示せず）等を有する。
【００３３】
ドライブ制御部２０４は、光ヘッド（図示せず）を利用して光ディスク２０５ａへのデータの書き込み処理、および光ディスク２０５ａからのデータの読み出し処理を制御する。またドライブ制御部２０４は、磁気ヘッド（図示せず）を利用してハードディスク２０５ｂへのデータの書き込み処理、およびハードディスク２０５ｂからのデータの読み出し処理を制御する。
【００３４】
ドライブ制御部２０４は録画の開始指示を受けて録画開始処理を行い、その後プログラムストリームを受け取って光ディスク２０５ａまたはハードディスク２０５ｂへの書き込みを開始する。またドライブ制御部２０４は、録画の終了指示を受けた後、プログラムストリームの入力がなくなると書き込み処理を終了し、録画終了処理を行う。プログラムストリームの管理情報は、プログラムストリームの書き込み終了後、または、プログラムストリームの書き込みと並行して、プログラムストリームと同じ記録媒体に書き込まれる。なお、ドライブ制御部２０４は光ディスク２０５ａおよびハードディスク２０５ｂの両方に対する情報の授受を制御するとして説明しているが、光ディスク２０５ａのドライブ装置およびハードディスク２０５ｂのドライブ装置の各々に設けられてもよい。
【００３５】
一方、録画した番組の再生時には、ドライブ制御部２０４は光ディスク２０５ａまたはハードディスク２０５ｂから録画された番組の管理情報を読み出す。その管理情報に基づいてＣＰＵ２１１が再生位置を特定すると、ドライブ制御部２０４はその位置に対応するデータを読み出す。ドライブ制御部２０４は、読み出したデータをＭＰＥＧ−２デコーダ２０６に出力する。ＭＰＥＧ−２デコーダ２０６（以下「デコーダ２０６」と記述する）は、供給されたＭＰＥＧ−２圧縮符号化データを伸長して非圧縮データに変換し、出力制御部２０７に供給する。
【００３６】
出力制御部２０７は、映像信号および音声信号の出力を制御する。たとえば録画された番組の再生時において、出力制御部２０７は、コンテンツ部分とコマーシャル部分との再生速度を変化させることができる。
【００３７】
また、出力制御部２０７は内部演算用のメモリ２０８と接続されており、オン・スクリーン・ディスプレイ（On Screen Display；ＯＳＤ）機能を実現できる。例えば、出力制御部２０７は種々のメニュー画像を映像と合成してＤＡコンバータ２０９に出力する。
【００３８】
ＤＡコンバータ２０９は、入力されたＯＳＤ合成画像データおよび音声データをアナログ変換して出力する。なお、ＤＡコンバータ２０９を有することは必須ではない。レコーダ２０は、デジタルデータのまま出力することも可能である。
【００３９】
ＣＰＵバス２１３はレコーダ２０内の信号を伝送する経路であり、チューナ２０１、ＡＤコンバータ２０２、エンコーダ２０３、ドライブ制御部２０４、デコーダ２０６、出力制御部２０７、ＤＡコンバータ２０９、システム制御部３００が接続されている。
【００４０】
ネットワーク制御部２１４は、レコーダ２０を家庭内ＬＡＮ１０（以下、「ＬＡＮ１０」と記述する。）に接続するためのインタフェース機能を有しており、ネットワーク１０を介してデータを授受する。このデータは番組のデータも含まれる。ネットワーク制御部２１４は、たとえば放送局からインターネットを介して番組のデータを取得する。このときは、たとえばチューナ２０１およびＡＤコンバータ２０２は不要である。ネットワーク制御部２１４は、たとえばＥｔｈｅｒｎｅｔ（登録商標）規格の接続端子である。
【００４１】
指示受信部２１５はレコーダ２０の選局や録画、再生等の操作を行うためのスイッチである。指示受信部２１５はさらに、ユーザから検索データを受け取るキーボード、検索データを選択するマウス等の入力機器を含んでもよいし、リモコン２１６からの指示を赤外線で受信する受信部であってもよい。
【００４２】
システム制御部３００のＣＰＵ２１１（後述）は、ＣＰＵバス２１３を介してネットワーク制御部２１４に接続され、指示受信部２１５はそのＣＰＵ２１１に直接接続されている。指示受信部２１５を操作して生成された信号はＣＰＵ２１１に供給されている。
【００４３】
指示受信部２１５はＣＰＵ２１１に接続されており、ユーザからレコーダ２０に対して直接に選局、録画、再生、時計あわせ、予約登録等に関する指示を受け取る。
【００４４】
次に、本実施形態によるレコーダ２０の処理を説明する。以下では、レコーダ２０のハードディスク２０５ｂには、図１０（ａ）に示す放送番組の時系列の構成例にしたがって番組が録画されているとする。
【００４５】
図２は、本実施形態による処理を実現するためのレコーダ２０の主要な構成の機能ブロックを示す。図１の構成要素と同じ構成要素には同じ参照符号を付している。
【００４６】
本実施形態においては、システム制御部３００が種々の機能を実現するとして説明する。これは、ハードウェアであるＣＰＵ２１１が、ＲＯＭ２１０に格納されたコンピュータプログラムを実行することにより、そのプログラムに応じた機能が実現されることを意味している。以下、システム制御部３００によって実現される各機能を、レコーダ２０の構成要素とみなして説明する。
【００４７】
本実施形態においては、システム制御部３００は、判別部２４０および再生速度設定部２５０として機能する。判別部２４０は、パラメータ抽出部２４１と、コマーシャル（ＣＭ）検出部２４２とを有する。
【００４８】
判別部２４０は、番組録画時、番組録画後かつ再生前、または、番組再生時のいずれかのタイミングで動作する。以下では、番組録画後かつ再生前の、ユーザがレコーダ２０を使用しない時間中に自動的に動作するとして説明する。ドライブ制御部２０４は、ハードディスク２０５ｂから録画が完了した部分の番組のデータを読み出して、デコーダ２０６に送る。そしてデコーダ２０６は、そのデータを復号化して、映像信号および音声信号を出力する。
【００４９】
この映像信号および音声信号はパラメータ抽出部２４１および出力制御部２０７に送られている。出力制御部２０７は映像信号および音声信号を出力せず、パラメータ抽出部２４１のみが以下に説明する処理を行う。この結果、レコーダ２０の処理は、ユーザーには認識されない処理（バックグラウンド処理）として実行される。
【００５０】
パラメータ抽出部２４１は、デコーダ２０６から出力される映像信号および音声信号のうち少なくとも音声信号を受け取り、その音声信号の出力レベルを測定する。この測定値は、音声信号の属性値（パラメータ）として出力される。
【００５１】
ＣＭ検出部２４２は、パラメータ抽出部２４１から出力されたパラメータに基づいて、音声が無音であるか否かを判定し、無音であると判定した時刻Ｔａとその次に無音であると判定した時刻Ｔｂとの区間Ｔａ−Ｔｂの長さが、たとえば１５秒の倍数であるとき、区間Ｔａ−Ｔｂはコマーシャルであると検出する。なお、ＣＭ検出部２４２は、完全な無音（すなわち音声レベルが０）であるときのみ無音であると判定しなくてもよい。所定の閾値を設けてその閾値以下か否かによって無音であるか否かを判断すればよい。
【００５２】
上述の例では、区間Ｔａ−Ｔｂの長さが１５秒の倍数であるか否かに基づいて、その区間がコマーシャルであるか否かを判定した。これは日本の放送においては主に有効である。しかしながら、１５秒の倍数に限られないコマーシャルや、数分間におよぶ長いコマーシャルが放送される場合においては、区間Ｔａ−Ｔｂの長さが当該数分以下であるとき、ＣＭ検出部２４２は区間Ｔａ−Ｔｂがコマーシャルであると検出してもよい。
【００５３】
ＣＭ検出部２４２は、区間Ｔａ−Ｔｂがコマーシャルであると判定したときは、時刻Ｔａを特定するＣＭ検出信号を出力する。また、ＣＭ検出部２４２は時刻Ｔｂを特定するコンテンツ検出信号を出力する。時刻Ｔｂはコマーシャルの終了点であるとともに、コンテンツの開始点ともいえるためである。ＣＭ検出信号およびコンテンツ検出信号は、ドライブ制御部２０４に送信される。
【００５４】
なお、「ＣＭ検出信号」および「コンテンツ検出信号」は便宜的な名称である。番組本編とコマーシャルとが交互に放送される場合には、同一の信号であってもよい。当該信号が奇数番目に出力された信号か、偶数番目に出力された信号かによって、上述の「ＣＭ検出信号」および「コンテンツ検出信号」と同等の信号として当該信号を識別可能である。
【００５５】
上述の「ＣＭ検出信号」および「コンテンツ検出信号」、または、上述の信号の識別方法によれば、番組本編と考えられる部分の開始および終了、および、コマーシャルと考えられる部分の開始および終了を識別できる。
【００５６】
なお、コマーシャルの位置（開始から終了までの区間）が特定されると番組本編の位置（開始から終了までの部分区間）が特定される。逆も同様である。よって、番組本編の位置およびコマーシャルの位置を別個独立に特定することと、番組本編の位置およびコマーシャルの位置の一方を特定することとは実質的に同じである。
【００５７】
ドライブ制御部２０４は、ＣＭ検出信号の受信に応答して、ＣＭ検出信号によって特定される時刻がコマーシャルの開始点であることを示すＣＭタグを、管理情報に挿入する。またドライブ制御部２０４は、コンテンツ検出信号の受信に応答して、ＣＭ検出信号によって特定される時刻がコンテンツの開始点であることを示すコンテンツタグを管理情報に挿入する。ＣＭタグおよびコンテンツタグは、たとえばＤＶＤまたはＢＤなどにおいて利用可能なブックマークまたはエントリポイントによって実現される。なお、タグを挿入することは、「チャプターを設定する」とも呼ばれている。
【００５８】
ドライブ制御部２０４の処理の結果、番組は、図１０（ｂ）に示すようにコマーシャルの検出が行われたとする。タグを参照すれば、コンテンツの位置およびコマーシャルの位置を特定することができる。たとえばＣＭタグ以降の区間は、次のコンテンツタグが現れるまではコマーシャルであり、コンテンツタグ以降の区間は、ＣＭタグが現れるまではコンテンツである。
【００５９】
管理情報内のタグは、たとえば番組の再生時に利用される。たとえば番組の再生時において、ＣＰＵ２１１は付加したタグを検出し、検出したタグの種類（ＣＭタグかコンテンツタグか）を出力制御部２０７に出力する。
【００６０】
再生速度設定部２５０は、再生時における出力制御部２０７から出力される映像信号や音声信号の出力タイミング、すなわち、番組の再生速度を出力制御部２０７に対して設定する。再生速度の設定は、再生前に、または、再生中にユーザがリモコン２１６を利用して行われる。再生速度設定部２５０は、ユーザからの指示に基づいて再生速度を設定する。
【００６１】
出力制御部２０７は、デコーダ２０６から出力された映像信号および／または音声信号を受け取り、出力タイミングを調整しながらそれらを出力する。出力タイミングは、ドライブ制御部２０４で検出されたタグの種類、および、再生速度設定部２５０によって設定された再生速度に基づいて決定される。
【００６２】
なお、上述の判別部２４０による処理は、コンテンツとコマーシャルとを確実に検出することを目的とするのではない。検出結果には誤りが含まれる可能性があることに留意されたい。本実施形態のレコーダ２０は、そのような誤検出が存在することを前提とした処理を行う点に、特徴のひとつを有している。たとえば、レコーダ２０は、ユーザがコマーシャルを誤検出しているか否かを調べることができるよう、ＣＭタグに基づいて番組内のコマーシャルのみを再生することができる。このときの再生速度は、たとえば通常の再生速度の４倍である。
【００６３】
次に、図３を参照しながら、本実施形態によるレコーダ２０の処理を説明する。なお、ハードディスク２０５ｂには、図１０（ｂ）に示すように、ＣＭタグおよびコンテンツタグによってコマーシャルとコンテンツとが検出された番組が録画されているとする。
【００６４】
図３は、レコーダ２０の処理の手順を示すフローチャートである。
【００６５】
ステップＳ３１において、レコーダ２０のＣＰＵ２１１は、出力制御部２０７に動作モードの問い合わせ画面を表示させることにより、ユーザに動作モードの指定を求める。「動作モード」とは、レコーダ２０によって行われる処理態様を意味しており、種々存在する。本実施形態では、ハードディスク２０５ｂに録画された番組を視聴するモード、および、録画された番組を光ディスク２０５ａにダビングするための記録モードのいずれかがユーザによって指定される。
【００６６】
動作モードの指定を求める理由は、ユーザに対して、動作モードに応じて提示するメッセージを変更するためである。番組を再生するか、番組を他の記録媒体に保存するかは、付加されたタグに対して求められる正確さが異なっている。後者の動作時の方が、タグが正確に付加されていることがより強く求められることはいうまでもない。一方、上述のようにタグは必ずしも正確に付加されているとは限らない。そこで、番組を他の記録媒体に保存する場合には特に、メッセージ等によってユーザに注意を喚起することが有効である。これにより、ユーザはタグが正確に付加されているか、すなわち、コマーシャルとコンテンツとが正しく検出されているかに注意を払いながら、他の記録媒体に保存する操作を行うことが可能になる。
【００６７】
ユーザがリモコン２１６によって視聴モードを指定したときは、処理はステップＳ３２に進む。ユーザが記録モードを指定したときは、処理はステップＳ３３に進む。
【００６８】
ステップＳ３２において、出力制御部２０７は、「コマーシャルをスキップして番組を再生します」というメッセージ１を出力する。そしてステップＳ３４において、レコーダ２０は先頭からコンテンツの再生を開始する。なお、コマーシャルを含む番組全体を先頭から再生してもよい。
【００６９】
ステップＳ３３において、出力制御部２０７は、「チャプターのチェックモードに移行します」というメッセージ２を出力する。チャプターのチェックは、タグが付加された位置のチェックを意味している。
【００７０】
そして、ステップＳ３５において、出力制御部２０７が「チャプターチェックを行いますか？」というメッセージを表示すると、指示受信部２１５は、ユーザからチャプターチェックの要否に関する指示を受け取る。ユーザがチャプターチェックを希望する場合には、処理はステップＳ３６に進み、希望しない場合には、処理はステップＳ３７に進む。
【００７１】
ステップＳ３６において、レコーダ２０は、チャプター編集機能を実行する。具体的には、出力制御部２０７は、タグに基づいて全コマーシャルを通常の再生速度よりも速く再生する。
【００７２】
図４は、チャプター編集機能実行時の、コマーシャルとコンテンツとの再生順序を示す。
【００７３】
ドライブ制御部２０４は、管理情報内のコマーシャルタグおよびコンテンツタグに基づいて、まずコマーシャルＤ１〜Ｄ５のデータを読み出す。そして、出力制御部２０７はコマーシャルＤ１〜Ｄ５の連続再生出力を制御する。本実施形態の例では、コマーシャルＤ３にコンテンツが含まれている。コマーシャルＤ３の再生により、それをユーザが認識すると、ユーザは、新たにＣＭタグおよびコンテンツタグを付加する編集操作を行う。その結果、コンテンツＰ３が、コンテンツＰ２およびＰ４の間に存在するコンテンツ部分であるとして正しく取り扱われる。なお、タグの位置をずらす編集操作も可能である。
【００７４】
それらの操作が終了すると、番組は、ユーザが希望するとおりにタグによってコマーシャルとコンテンツとに区分される。この後、処理はステップＳ３９に進む。
【００７５】
再び図３を参照する。ステップＳ３７において、出力制御部２０７が「自動チャプターシフトを行いますか？」というメッセージを表示すると、指示受信部２１５は、ユーザから自動チャプターシフトの要否に関する指示を受け取る。「自動チャプターシフト」とは、コンテンツの再生範囲が、たとえば数映像フレームから数秒長くなるように、ドライブ制御部２０４がタグの位置をずらす処理である。これはコマーシャル期間を短くすることと同義である。この目的は、コンテンツの途切れが可能な限り少なくなるよう、タグの位置をコマーシャル側に変更することにある。
【００７６】
指示受信部２１５は、ユーザから自動チャプターシフトの要否に関する指示を受け取る。ユーザが自動チャプターシフトを希望する場合には、処理はステップＳ３８に進み、希望しない場合には、処理はステップＳ３９に進む。
【００７７】
ステップＳ３８において、ドライブ制御部２０４は、本編再生時間が長くなるように、設定されたチャプター（タグ）の開始位置／終了位置をシフトする。なお、すべてのタグの位置を変更しなくてもよい。上述のように、ＣＭタグおよびコンテンツタグの設定は、音声レベルが所定の閾値以下か否かに応じて行われている。したがって、音声レベルがその閾値より大きかったが閾値との差が微小（たとえば閾値の３％以下）である場合にのみ、タグの位置を変更してもよい。その後処理はステップＳ３９に進む。
【００７８】
ステップＳ３９において、レコーダ２０は、チャプターに基づいて、より具体的にはコマーシャルタグおよびコンテンツタグに基づいて、番組のコンテンツのみを光ディスク２０５ａにダビングする。
【００７９】
ステップＳ３６の後にステップＳ３９が実行されたときは、ユーザは自らが確認してタグを付加しなおしているため、正しく抽出されたコンテンツが光ディスク２０５ａに保存される。
【００８０】
一方、ステップＳ３７の後にステップＳ３９が実行されたときは、判別部２４０によって検出されたコンテンツが光ディスク２０５ａに保存される。コンテンツが正確に検出されていない可能性もあるが、ステップＳ３５およびＳ３７を経ているため、ユーザは自らその責任を負うことになる。
【００８１】
ステップＳ３８の後にステップＳ３９が実行されたときは、ユーザはステップＳ３６によるチャプター編集を行うほどの手間をかけることなく、しかしながら、判別部２４０による検出結果よりも安全に、コンテンツを光ディスク２０５ａに保存することができる。
【００８２】
なお、図３に示す処理手順では、処理開始時に２つのモード（視聴モードおよび記録モード）のいずれかをユーザに選択させ、記録モードにおいてチャプター修正を行うとした。しかしながら、処理開始時にチャプター修正モードをさらに設け、ユーザが視聴モード、記録モードおよびチャプター修正モードのいずれかを選択可能にしてもよい。
【００８３】
本実施形態においては、判別部２４０は、番組録画後かつ再生前の、ユーザがレコーダ２０を使用しない時間中にコンテンツおよびコマーシャルを検出する動作を行うとした。しかしながら、録画後、ユーザが頻繁にレコーダ２０を使用する状況もあり得る。このような場合には、判別部２４０はコンテンツおよびコマーシャルの検出を完了できない。
【００８４】
そこで判別部２４０は、番組録画時にコンテンツおよびコマーシャルの検出動作を行ってもよい。このとき、チューナ２０１を経て入力された映像信号および／または音声信号に基づいて、ＣＭ検出部２４２がコンテンツおよび／または非コンテンツの位置を検出すればよい。上述の動作を番組録画時に行う場合には、レコーダ２０の番組録画時の処理負荷が若干高くなる。しかしながら、録画の完了時にはコンテンツおよびコマーシャルの検出が完了しているため、録画後にユーザの使用状況の影響を受けることはない。
【００８５】
さらに判別部２４０は、番組再生時に動作してもよい。たとえば、デコーダ２０６が、ＨＤＤ２０５ｂ等に圧縮されて記録された映像および／または音声のデータを復号して、映像信号および／または音声信号を出力する。ＣＭ検出部２４２は、それらの信号を利用して無音区間に基づいて非コンテンツの開始点を検出する。その後ＣＭ検出部２４２は、これまでの実績やコマーシャル放送時間の取り決めに基づいて、６０秒、９０秒等の区間だけ再生をスキップする。この結果、非コンテンツを飛ばして再生することが可能になる。なお、本例においては、タグは非コンテンツの開始位置にのみ設定される。出力制御部２０７からは映像信号および／または音声信号が出力される。
【００８６】
（実施形態２）
本実施形態においては、実施形態１によるレコーダ２０によって処理が行われ、コマーシャルとコンテンツとが分けられた番組のコンテンツの再生処理を説明する。実施形態１と同様、図１および２のレコーダ２０を参照しながら説明する。
【００８７】
図５（ａ）および（ｂ）は、本実施形態によるレコーダ２０がコンテンツを再生する処理の方法を示す。本実施形態における再生処理は、たとえばコンテンツを大まかに視聴するために利用される。コンテンツはサッカーの試合であるとする。再生は、番組開始から終了までのコマーシャルを除くコンテンツについて行われるとする。
【００８８】
図５（ａ）は、コンテンツのみを通常の再生速度よりも速い４倍速で再生する例を示す。再生速度は、４倍であり定速である。試合開始から試合終了までのハイライトシーン（たとえばゴールシーンおよびシュートシーン）も必ず再生される。
【００８９】
一方、図５（ｂ）は、本実施形態による変速再生処理の例を示す。変速再生処理とは、そのコンテンツにおいて重要度が高いハイライトシーンは低速（たとえば２倍速）で再生し、重要度が低いハイライトシーン以外のシーンは高速（たとえば４倍速）で再生する処理である。
【００９０】
変速再生処理を実現するためには、ハイライトシーンを検出する処理が必要となる。そこで、実施形態１において説明したような、管理情報にコマーシャルタグおよびコンテンツタグを付加する処理とともに、ハイライトタグを付加する処理も行われる。
【００９１】
具体的には以下のとおりである。図２に示すＣＭ検出部２４２は、パラメータ抽出部２４１によって抽出された音声信号の出力レベル（パラメータ）が閾値よりも大きいか否かを判断する。大きい場合には、ＣＭ検出部２４２はハイライト開始信号を出力し、その後、音声信号の出力レベル（パラメータ）が閾値以下になったときは、ハイライト終了信号を出力する。
【００９２】
ドライブ制御部２０４は、ハイライト開始信号およびハイライト終了信号に基づいて、ハイライトタグを番組の管理情報に付加する。
【００９３】
変速再生時においては、ドライブ制御部２０４は、奇数番目のハイライトタグからその次のハイライトタグまでの再生速度を低く設定し、偶数番目のハイライトタグからその次のハイライトタグまでの再生速度を高く設定する。これにより、図５（ｂ）に示すようなハイライトシーンの時間帯（たとえば試合開始時、ゴール時、シュート時、試合終了時）には再生速度が遅くなる。よって、ユーザはコンテンツを、重要度が高いか否かに応じた速度でコンテンツの概要を視聴することができる。
【００９４】
（実施形態３）
実施形態２のレコーダ２０は、重要度が高いか低いかの２段階でコンテンツの再生速度を変化させるとした。本実施形態においては、さらに多段階でコンテンツの再生速度を変化させることが可能なレコーダを説明する。
【００９５】
以下では、レコーダ２０のハードディスク２０５ｂには、図１０（ａ）に示す放送番組の時系列の構成例にしたがって番組が録画されているとする。
【００９６】
図６は、本実施形態による処理を実現するためのレコーダ２０の主要な構成の機能ブロックを示す。ハードウェア構成は図１に示すレコーダ２０と同じであるが、システム制御部３００によって実現される機能が新たに付加されている。以下では、図２に示す機能ブロックとの相違点を説明する。特に説明がない要素の機能については、先に説明したとおりであるとする。
【００９７】
本実施形態においては、システム制御部３００は、判別部２４０、再生速度設定部２５０および重要度処理部２６０として機能する。
【００９８】
まず、判別部２４０のＣＭ検出部２４２は、実施形態２の処理ではなく、実施形態１の処理、すなわち、パラメータ抽出部２４１から出力されたパラメータに基づいて、音声が無音であるか否かを判定する。
【００９９】
重要度処理部２６０は、重要度測定部２６１と、重要度決定部２６２と、重要度指定部２６３とを有する。
【０１００】
重要度処理部２６０は、判別部２４０が動作するタイミングと同じタイミングで動作する。本実施形態においては、実施形態１と同様、番組録画中に動作するとして説明する。
【０１０１】
重要度測定部２６１は、パラメータ抽出部２４１によって抽出された音声信号の出力レベル（パラメータ）の平均値が閾値よりも大きいか否かを判断し、かつ、平均値が閾値よりも大きくなったときの持続時間を測定する。
【０１０２】
閾値は、複数設定することができる。たとえば、サッカーの試合の番組においては、ゴールシーンやシュートシーンなどに対応する、音声信号の出力レベルの平均値が高い大きな歓声を判別可能な閾値Ａと、試合開始時や終了時などの、歓声は比較的大きいがゴールシーンほど大きくはないシーンの音声を判別可能な、閾値Ａより小さい閾値Ｂと、フィールド中盤でゆっくりとボールがパスされているときのような、歓声が比較的小さいシーンの音声を判別可能な、閾値Ｂより小さい閾値Ｃとを設ければよい。閾値の具体的な値は、たとえば予め統計的に調査し、重要度測定部２６１に設定しておけばよい。
【０１０３】
また、平均値が閾値よりも大きくなったときの持続時間の具体的な値は、たとえば１０秒に設定することができる。持続時間が１０秒未満の場合は瞬間的な雑音とみなして低い重要度（後述の例では“ｃ”や“ｄ”）を設定すればよい。なお「平均値」は例である。他の例として、出力レベルの最大値や最小値であってもよい。
【０１０４】
重要度測定部２６１は、音声信号の出力レベル（パラメータ）が閾値Ａ以上かつ設定された持続時間以上のときは重要度“ａ”を出力し、閾値Ａより小さいが閾値Ｂ以上であり、かつ設定された持続時間以上であるときは重要度“ｂ”を出力し、閾値Ｂより小さいが閾値Ｃ以上であり、かつ設定された持続時間以上であるときは重要度“ｃ”を出力し、閾値Ｃより小さいときは重要度“ｄ”を出力する。本実施形態においては、重要度が高い順に“ａ”、“ｂ”、“ｃ”、“ｄ”と並べているが、これは例であり、重要度をどのように示すかは任意である。
【０１０５】
また、重要度測定部２６１は、音声信号の出力レベルの時間的な連続性を評価することもできる。たとえば音楽が一定期間に連続して流れている場合には、音声信号の出力レベルは概ね一定値で推移すると考えられる。そのような場合には、重要度測定部２６１は、音楽が開始されたときの閾値に基づく重要度を引き続き出力してもよい。
【０１０６】
さらに重要度決定部２６２は、たとえば後述する番組の再生中に、リモコン２１６を介してユーザの指示を受け取る。ユーザが視聴しながら重要度を変更したいと考えたとき、ユーザがリモコン２１６のボタンを押下すると、重要度の変更に関する指示が重要度決定部２６２に送られる。
【０１０７】
重要度決定部２６２は、ＣＭ検出部２４２によって行われた音声が無音であるか否かの検出結果、重要度測定部２６１から出力された重要度の情報、および、存在する場合にはリモコン２１６からの指示に基づいて、そのシーンの重要度を決定する。重要度決定部２６２は、決定した重要度を示す“ａ”、“ｂ”、“ｃ”、“ｄ”のいずれかを出力する。
【０１０８】
重要度指定部２６３は、重要度に応じた種類のタグを管理情報に付加するよう、ドライブ制御部２０４に指示する。また重要度指定部２６３は、特定条件下では、重要度決定部２６２によって決定された重要度をより高い重要度に強制的に変更する。「特定条件下」とは、たとえば、重要度が最高ではない状態（たとえば最低の状態）が１０分以上継続したときや、コマーシャルの直前および／または直後の一定区間に到達したときである。
【０１０９】
重要度を強制的に変更する理由は、重要度が低い状態が継続しないようにするためである。たとえばサッカーの試合において、スコアが０対０の状態が続くと音声信号のレベルが長時間にわたり、大きくならないことがある。その結果、重要度が低い状態が継続する。後述の再生処理によれば、重要度が低い場合には再生速度は非常に速い。概要を確認するためとはいえ、そのような高速な再生ではユーザは実質的に内容を確認することはできない。そこで、強制的に重要度を高く設定して一定時間ごとにユーザに番組を視聴させることで、ユーザが、その番組全体を一通り確認したという心理状態になるように配慮している。
【０１１０】
たとえば図９（ａ）〜（ｃ）は、一旦設定した重要度を変更して、再設定した結果を示す図である。
【０１１１】
図９（ａ）に示すように、複数のシュートシーンは含まれるが得点に結びつかずに盛り上がるシーンが少なかったサッカーの番組を考える。このとき、重要度指定部２６３の指示に基づいて、図９（ｂ）に示すように重要度が設定されたとする。
【０１１２】
本実施形態においては、重要度が比較的高い“ａ”または“ｂ”と判定された区間長が全体の再生時間長に対して１５％以下となる場合には、重要度指定部２６３は、重要度決定部２６２によって決定された、重要度が比較的低い“ｃ”または“ｄ”と判定された区間の全部または一部を、より需要度の高い“ｂ”に変更する。
【０１１３】
一例として、図９（ｃ）では、重要度が“ｃ”または“ｄ”と判定された区間の一部を、重要度がより高い“ｂ” (ハッチング部分)に変更して結果を示している。重要度指定部２６３は、放送時間にして１０分毎にその区間の重要度を確認し、その区間の重要度が比較的低い“ｃ”または“ｄ”であるときは、強制的にその区間の一部を重要度“ｂ”に変更している。
【０１１４】
このように重要度が再設定されることにより、再設定後の重要度に応じてその番組を視聴したユーザは、図９（ｂ）のように時間間隔が１０分以上開いた区間だけを１倍速や２倍速で聴取する場合に比べて、番組の内容を一通り確認したという心理状態になる。
【０１１５】
なお、１０分毎に強制的に一定区間の重要度を“ｂ”に変更する際、その区間近傍（たとえば５分以内）の重要度が“ａ”または“ｂ”に設定されている場合には、重要度を“ｂ”に変更するという操作は行わなくてもよい。これにより、重要度の再設定結果が冗長になることを防止できる。
【０１１６】
なお、上述の例では強制的に一定区間の重要度をｂに変更しているが、重要度を“ａ”に変更しても良い。この場合には、番組内容確認に対するユーザの満足度をさらに高めることができる。
【０１１７】
上述の例では、重要度が “ａ”または“ｂ”と判定された区間長と全体の時間長との割合が１５％以下か否かを判定した。しかしながら、「１５％」については、適宜変更してもよい。また“ａ” と判定された区間長と全体の時間長との割合を求めてもよい。その場合には、“ｂ”、 “ｃ”または“ｄ”と判定された区間長を“ａ”に変更すればよい。一般には、タグによって示される重要度を、重要度の高さに応じて、最も高い重要度を含む第１群と、最も低い重要度を含む第２群とに分類し、第２群に属する重要度に属するタグについて、その重要度を、第１群に属するタグの重要度に変更すればよい。
【０１１８】
また、他の例では、ドラマに関しては、ストーリー上重要なシーンがコマーシャルの前後に放送されるように放送時間が調整されていることが、経験的に多い。特に、コマーシャルの前後において同じシーンが重複して含まれている場合には重要であると考えられる。そこで、コマーシャルの直前および／または直後の一定区間は、重要度をより高く設定することが有効である。なお、同じシーンが重複して含まれているか否かは、両方の区間における音声信号の出力レベルの相関や映像信号の相関に基づいて特定することができる。
【０１１９】
上述の２つの例から明らかなように、番組のジャンルによって重要度の設定方法を変更することは効果的である。そのため、番組の録画時にはドライブ制御部２０４はチューナ２０１によって取得された電子番組表（ＥＰＧ）を保持しておき、重要度の設定時において、ジャンルに応じて設定処理の方法を変えることが好ましい。
【０１２０】
ドライブ制御部２０４は、重要度指定部２６３から指定された重要度に応じた種類のタグを管理情報に付加する。本実施形態においては、タグの種類は、重要度“ａ”、“ｂ”、“ｃ”、“ｄ”に応じて定められている。
【０１２１】
再生速度設定部２５０は、タグの種類に応じた再生速度を規定するテーブルを保持している。たとえば、重要度“ａ”のタグに応じた再生速度は１倍速、重要度“ｂ”については２倍速再生、重要度“ｃ”については４倍速再生、重要度“ｄ”については８倍速再生である。再生速度設定部２５０が保持するテーブルは再生処理の開始前に出力制御部２０７に送られている。出力制御部２０７は、タグの種類に基づいてテーブルを参照し、得られた再生速度で、コンテンツを出力する。
【０１２２】
図７（ａ）は録画されたサッカー番組の試合の流れを示し、図７（ｂ）は重要度の設定結果を示す。図７（ａ）には、番組中の音声信号の出力レベルが比較的大きくなる複数のシーンの位置と、ハーフタイムのコマーシャルの位置とが示されている。図７（ｂ）の重要度は、上述の例と同様、重要度が高い順に“ａ”、“ｂ”、“ｃ”、“ｄ”と設定されている。それぞれの再生速度は、重要度“ａ”が通常再生（１倍速再生）、重要度“ｂ”が２倍速再生、重要度“ｃ”が４倍速再生、重要度“ｄ”が８倍速再生である。
【０１２３】
音声信号の出力レベルが比較的大きくなるシーンの重要度は、“ａ”または“ｂ”に設定されている。そして、ハーフタイムの重要度は最低の“ｄ”に設定されている。これにより、ユーザが番組の先頭から再生したとしても、重要度に応じた再生速度で試合の流れを一通り確認することができる。
【０１２４】
なお、図７（ｂ）において、ハーフタイム直前の部分区間の重要度は“ａ”に設定されているが、これは重要度指定部２６３によって重要度が強制的に変更された結果である。この部分区間は、その前に存在する重要度“ｃ”の部分区間の一部であった。しかしながら、コマーシャルの直前の区間であることにより、重要度指定部２６３によって重要度“ｃ”の部分区間の一部が分割されて重要度“ａ”の部分区間として設定されている。この区間の重要度は音声信号の出力レベルの大きさによって定められたものではない。重要度“ｃ”の部分区間の一部を重要度“ｂ”ではなく、重要度“ａ”の部分区間として設定した理由は、コマーシャル直前、すなわち前半戦終了からハーフタイムに入った時間帯は、その番組の重要な情報（その試合の前半戦得点結果やハイライト映像）が提示されることが経験的に多いためである。ただしこれは例であり、重要度“ｃ”より高い重要度“ｂ”を設定してもよい。なお、重要度が低い状態が一定時間以上継続する部分区間に対しても、区間が分割され得る。出力レベル以外のパラメータによっても、重要度を設定できる点に留意されたい。
【０１２５】
ただし、レコーダ２０によって設定された重要度が、その番組の重要なシーンを確実に反映しているとは限らない。そこで、設定された重要度の変更処理を説明する。
【０１２６】
いま、図７（ｂ）の区間６０に注目する。この区間は、図７（ａ）に示す２度目のゴールシーンに対応している。
【０１２７】
図８（ａ）は、区間６０における当初の重要度の設定結果を示す。重要度に基づいて２倍速で再生されていた区間６０を視聴していたとき、ユーザが、区間６０にゴールシーンが含まれていることを認識したとする。ユーザはリモコン２１６のボタンを押下して、重要度の変更要求を指示受信部２１５に送る。さらにユーザはリモコン２１６を利用して、ゴールシーンの重要度を“ａ”に設定するよう指示する。
【０１２８】
この指示が重要度決定部２６２に送られると、重要度決定部２６２はその位置の重要度を“ａ”に変更する。図８（ｂ）は重要度の変更結果を示す。これにより、当該番組のデータに設定された重要度“ｂ”に対応するタグが重要度“ａ”に対応するタグに変更される。重要度が変更された番組を当該重要度に応じた速度で再生すると、２回目のゴールシーンは通常の速度で再生される。
【０１２９】
上述の実施形態においては、パラメータ抽出部２４１は音声信号の出力レベルを利用してコマーシャルとコンテンツとを判別するとした。しかしながらこれは例である。たとえば、映像信号に基づいて黒い画面へのフェードアウトや黒画面からのフェードインを検出することにより、コマーシャルとコンテンツとを判別することも可能である。また、音声信号による判別と映像信号による判別とを並列的に行うことにより、検出精度を高くすることも可能である。
【０１３０】
なお、シーンの重要度“ａ”、“ｂ”、“ｃ”、“ｄ”に対応する再生速度を、それぞれ１倍速、２倍速、４倍速および８倍速であるとして説明した。しかしながら、２倍速、４倍速および８倍速については、重要度に応じた再生速度をユーザが任意に変更できるようにしてもよい。なお、重要度が低い状態が継続したときでも強制的に通常再生を行えるようにするため、シーンの重要度“ａ”に対応する１倍速は特に変更する必要はない。
【産業上の利用可能性】
【０１３１】
本発明によれば、録画された番組に含まれるコンテンツおよび非コンテンツを検出してタグを付加した上で、コンテンツを単に再生するときと、他の記録媒体にコンテンツを保存するときとで、ユーザに提示する情報を変更する。特に、コンテンツ保存時には設定されたタグの位置の確認を行うか否かの確認をユーザに求めるため、誤検出されたタグに起因するコンテンツ保存の失敗を大幅に低減することが可能になる。
【符号の説明】
【０１３２】
２０４  ドライブ制御部
２０５ａ  光ディスク
２０５ｂ  ハードディスク
２０６  ＭＰＥＧ−２デコーダ
２０７  出力制御部
２４０  判別部
２４１  パラメータ抽出部
２４２  ＣＭ検出部
２５０  再生速度設定部
３００  システム制御部
【手続補正２】
【補正対象書類名】特許請求の範囲
【補正対象項目名】全文
【補正方法】変更
【補正の内容】
【特許請求の範囲】
【請求項１】
コンテンツのデータ、および前記コンテンツのデータを読み出すために利用される管理情報を記録媒体に記録する制御部と、
前記コンテンツの映像信号および音声信号の少なくとも一方に応じて前記コンテンツの部分区間の重要度を決定し、かつ、前記管理情報に対し前記部分区間の重要度に応じた種類のタグを付加する重要度処理部と、
タグの種類に応じた再生速度を規定するテーブルを保持した再生速度設定部と
を備えた記録装置であって、
前記部分区間の管理情報に対し、最高ではない重要度を示すタグが付加されているときは、前記重要度処理部は、前記タグを、より高い重要度を示す種類のタグに変更し、
前記部分区間の管理情報に対し、最高ではない重要度を示すタグが付加されており、かつ、前記部分区間が所定時間以上継続しているときにおいて、前記重要度処理部は、前記部分区間の一部を分割し、分割によって得られた部分区間の管理情報に対してより高い重要度を示す種類のタグを設定する、記録装置。
【請求項２】
前記出力制御部は、通常の再生速度よりも速い再生速度で、前記非コンテンツの再生処理および／または前記コンテンツの再生処理を実行する、請求項１に記載の記録装置。
【請求項３】
前記コンテンツの再生処理が実行された後、前記ドライブ制御部は、前記コンテンツの再生後に存在する複数のタグに基づいて、前記番組のデータを他の記録媒体へ書き込む、請求項１に記載の記録装置。
【請求項４】
前記タグによって示される重要度は、重要度の高さに応じて、最も高い重要度を含む第１群と、最も低い重要度を含む第２群とに分類され、
前記重要度処理部は、前記コンテンツの再生時間長に対する、前記第１群に属する重要度のタグが付加された区間長の割合に基づいて、前記第２群に属する重要度のタグの重要度を、前記第１群に属する重要度に変更する、請求項１に記載の記録装置。
【手続補正３】
【補正対象書類名】図面
【補正対象項目名】全図
【補正方法】変更
【補正の内容】
【図１】
2009037856.tif 000013
【図２】
2009037856.tif 000014
【図３】
2009037856.tif 000015
【図４】
2009037856.tif 000016
【図５】
2009037856.tif 000017
【図６】
2009037856.tif 000018
【図７】
2009037856.tif 000019
【図８】
2009037856.tif 000020
【図９】
2009037856.tif 000021
【図１０】
2009037856.tif 000022
【国際調査報告】
2009037856.tif 000023
2009037856.tif 000024
2009037856.tif 000025
2009037856.tif 000026
2009037856.tif 000027
2009037856.tif 000028